(57)【要約】【課題】  ＢＴ対応使い切りデジタルカメラシステムで、再認証不要な仕組みと回収再販売に起因する不正アクセスの問題を解決する。【解決手段】  デジカメ（ＤＣ）、Ｂｌｕｅｔｏｏｔｈ（ＢＴ）、携帯電話（Ｔ）からなる構成において、ＤＣとＴは相互に認証を行い、相手の機器アドレスを自分の登録機器情報一覧に登録。ＤＣは自分の動作状況に応じて、自分の機器アドレスをＴの登録機器情報一覧から削除することをＴに許可通知。ＤＣの動作状況としては、記録可能残容量不足、プリントオーダー設定済などがある（ＤＣの利用を終えてラボに出す状態）。ＤＣからの削除許可に応じて、Ｔは登録機器情報一覧からＤＣの機器アドレスを削除。その際、ＤＣに機種種別を問い合わせ、使い切りカメラであることを確認しても良い。なお、ＤＣの動作状況に関係なく釦操作により削除許可通知する仕組みにした。【選択図】        図１
2006191442.tif 000002
【特許請求の範囲】
【請求項１】
撮像装置と通信装置が相互に通信可能に構成された撮像システムであって、
前記撮像装置は、
撮像手段と、前記撮像装置の識別情報を前記通信装置に通知する識別情報通知手段と、前記通知した撮像装置の識別情報の削除を前記通信装置に許可する識別情報削除許可通知手段とを有し、
前記通信装置は、
前記撮像装置との認証を行う認証手段と、前記認証手段での認証結果に応じて前記撮像装置の識別情報を登録管理する識別情報管理手段と、前記識別情報削除許可通知手段からの前記撮像装置の識別情報の削除許可通知に応じて前記識別情報管理手段から前記撮像装置の識別情報を削除する識別情報削除手段とを有することを特徴とする撮像システム。
【請求項２】
前記撮像装置は更に前記撮像手段が撮像した画像データを記録する記録手段を備え、前記記録手段の動作状況に応じて、前記識別情報削除許可通知手段は前記通知した撮像装置の識別情報の前記識別情報管理手段からの削除を前記通信装置に許可することを特徴とする請求項１に記載の撮像システム。
【請求項３】
前記記録手段の動作状況が、前記記録手段の記録可能残容量が不足する状態の動作状況であることを特徴とする請求項２に記載の撮像システム。
【請求項４】
前記撮像装置は更に前記撮像手段が撮像した画像データの印刷注文を行う印刷注文手段を備え、前記印刷注文手段の動作状況に応じて、前記識別情報削除許可通知手段は前記通知した撮像装置の識別情報の前記識別情報管理手段からの削除を前記通信装置に許可することを特徴とする請求項１に記載の撮像システム。
【請求項５】
前記印刷注文手段の動作状況が、印刷注文の設定を行った状態の動作状況であることを特徴とする請求項４に記載の撮像システム。
【請求項６】
前記撮像装置は更に機種種別通知手段を備え、前記通信装置は前記機種種別通知手段からの機種種別通知に応じて、前記識別情報削除手段により前記識別情報管理手段から前記撮像装置の識別情報を削除することの可否を判定することを特徴とする請求項１乃至請求項５何れかに記載の撮像システム。
【請求項７】
前記機種種別通知が回収型の撮像装置を表す通知であり、前記可否の判定が前記回収型の撮像装置を表す通知において前記撮像装置の識別情報を削除する判定であることを特徴とする請求項６に記載の撮像システム。
【請求項８】
前記通信装置は更に識別情報削除設定手段を備え、前記識別情報削除手段により前記識別情報管理手段から前記撮像装置の識別情報を削除することの可否を設定可能とすることを特徴とする請求項１乃至請求項７何れかに記載の撮像システム。
【請求項９】
撮像装置と通信装置が相互に通信可能に構成された撮像システムの制御方法であって、
前記撮像装置において、
前記撮像装置の識別情報を前記通信装置に通知する識別情報通知工程と、前記通知した撮像装置の識別情報の削除を前記通信装置に許可する識別情報削除許可通知工程と、
前記通信装置において、
前記撮像装置との認証を行う認証工程と、前記認証工程での認証結果に応じて前記撮像装置の識別情報を登録管理する識別情報管理工程と、前記識別情報削除許可通知工程からの前記撮像装置の識別情報の削除許可通知に応じて前記撮像装置の識別情報を削除する識別情報削除工程とを有することを特徴とする撮像システムの制御方法。
【請求項１０】
前記撮像装置は更に撮像した画像データを記録する記録工程を備え、前記記録工程での動作状況に応じて、前記識別情報削除許可通知工程において前記通知した撮像装置の識別情報の削除を前記通信装置に許可することを特徴とする請求項９に記載の撮像システムの制御方法。
【請求項１１】
前記記録工程の動作状況が、前記記録工程の記録可能残容量が不足する状態の動作状況であることを特徴とする請求項１０に記載の撮像システムの制御方法。
【請求項１２】
前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする請求項９に記載の撮像システムの制御方法。
【請求項１３】
前記印刷注文工程の動作状況が、印刷注文の設定を行った状態の動作状況であることを特徴とする請求項１２に記載の撮像システムの制御方法。
【請求項１４】
前記撮像装置は更に機種種別通知工程を備え、前記通信装置は前記機種種別通知工程からの機種種別通知に応じて、前記識別情報削除工程により前記撮像装置の識別情報を削除することの可否を判定することを特徴とする請求項９乃至請求項１３何れかに記載の撮像システムの制御方法。
【請求項１５】
前記機種種別通知が回収型の撮像装置を表す通知であり、前記可否の判定が前記回収型の撮像装置を表す通知において前記撮像装置の識別情報を削除する判定であることを特徴とする請求項１４に記載の撮像システムの制御方法。
【請求項１６】
前記通信装置は更に識別情報削除設定工程を備え、前記識別情報削除工程により前記撮像装置の識別情報を削除することの可否を設定可能とすることを特徴とする請求項９乃至請求項１５何れかに記載の撮像システムの制御方法。
【請求項１７】
撮像装置と通信装置が相互に通信可能に構成された撮像システムを制御する制御プログラムを格納した記憶媒体であって、該制御プログラムが、
前記撮像装置において、
前記撮像装置の識別情報を前記通信装置に通知する識別情報通知工程と、前記通知した撮像装置の識別情報の削除を前記通信装置に許可する識別情報削除許可通知工程と、
前記通信装置において、
前記撮像装置との認証を行う認証工程と、前記認証工程での認証結果に応じて前記撮像装置の識別情報を登録管理する識別情報管理工程と、前記識別情報削除許可通知工程からの前記撮像装置の識別情報の削除許可通知に応じて前記撮像装置の識別情報を削除する識別情報削除工程のコードを具備することを特徴とする記憶媒体。
【請求項１８】
前記撮像装置は更に撮像した画像データを記録する記録工程を備え、前記記録工程での動作状況に応じて、前記識別情報削除許可通知工程において前記通知した撮像装置の識別情報の削除を前記通信装置に許可することを特徴とする請求項１７に記載の記憶媒体。
【請求項１９】
前記記録工程の動作状況が、前記記録工程の記録可能残容量が不足する状態の動作状況であることを特徴とする請求項１８に記載の記憶媒体。
【請求項２０】
前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする請求項１７に記載の記憶媒体。
【請求項２１】
前記印刷注文工程の動作状況が、印刷注文の設定を行った状態の動作状況であることを特徴とする請求項２０に記載の記憶媒体。
【請求項２２】
前記撮像装置は更に機種種別通知工程を備え、前記通信装置は前記機種種別通知工程からの機種種別通知に応じて、前記識別情報削除工程により前記撮像装置の識別情報を削除することの可否を判定することを特徴とする請求項１７乃至請求項２１何れかに記載の記憶媒体。
【請求項２３】
前記機種種別通知が回収型の撮像装置を表す通知であり、前記可否の判定が前記回収型の撮像装置を表す通知において前記撮像装置の識別情報を削除する判定であることを特徴とする請求項２２に記載の記憶媒体。
【請求項２４】
前記通信装置は更に識別情報削除設定工程を備え、前記識別情報削除工程により前記撮像装置の識別情報を削除することの可否を設定可能とすることを特徴とする請求項１７乃至請求項２３何れかに記載の記憶媒体。
【請求項２５】
撮像装置と通信可能に構成された通信装置であって、
前記撮像装置との認証を行う認証手段と、前記認証手段での認証結果に応じて、前記撮像装置から通知された前記撮像装置の識別情報を登録管理する識別情報管理手段と、前記撮像装置から通知された前記撮像装置の識別情報の削除許可通知に応じて、前記識別情報管理手段から前記撮像装置の識別情報を削除する識別情報削除手段とを有することを特徴とする通信装置。
【請求項２６】
前記識別情報削除手段は、前記撮像装置における撮像した画像データの記録動作状況に基づく、前記撮像装置から通知された前記撮像装置の識別情報の削除許可通知に応じて、前記識別情報管理手段から前記撮像装置の識別情報を削除することを特徴とする請求項２５に記載の通信装置。
【請求項２７】
前記撮像した画像データの記録動作状況が、前記撮像装置の記録可能残容量が不足する状態の動作状況であることを特徴とする請求項２６に記載の通信装置。
【請求項２８】
前記識別情報削除手段は、前記撮像装置における撮像した画像データの印刷注文動作状況に基づく、前記撮像装置から通知された前記撮像装置の識別情報の削除許可通知に応じて、前記識別情報管理手段から前記撮像装置の識別情報を削除することを特徴とする請求項２５に記載の通信装置。
【請求項２９】
前記撮像した画像データの印刷注文動作状況が、印刷注文の設定を行った状態の動作状況であることを特徴とする請求項２８に記載の通信装置。
【請求項３０】
前記識別情報削除手段は、前記撮像装置からの機種種別通知に応じて、前記識別情報管理手段から前記撮像装置の識別情報を削除することの可否を判定することを特徴とする請求項２５乃至請求項２９何れかに記載の通信装置。
【請求項３１】
前記機種種別通知が回収型の撮像装置を表す通知であり、前記可否の判定が前記回収型の撮像装置を表す通知において前記撮像装置の識別情報を削除する判定であることを特徴とする請求項３０に記載の通信装置。
【請求項３２】
前記通信装置は更に識別情報削除設定手段を備え、前記識別情報削除手段により前記識別情報管理手段から前記撮像装置の識別情報を削除することの可否を設定可能とすることを特徴とする請求項２５乃至請求項３１何れかに記載の通信装置。
【請求項３３】
撮像装置と通信可能に構成された通信装置の制御方法であって、
前記撮像装置との認証を行う認証工程と、前記認証工程での認証結果に応じて、前記撮像装置から通知された前記撮像装置の識別情報を登録管理する識別情報管理工程と、前記撮像装置から通知された前記撮像装置の識別情報の削除許可通知に応じて、前記撮像装置の識別情報を削除する識別情報削除工程とを有することを特徴とする通信装置の制御方法。
【請求項３４】
前記識別情報削除工程は、前記撮像装置における撮像した画像データの記録動作状況に基づく、前記撮像装置から通知された前記撮像装置の識別情報の削除許可通知に応じて、前記撮像装置の識別情報を削除することを特徴とする請求項３３に記載の通信装置の制御方法。
【請求項３５】
前記撮像した画像データの記録動作状況が、前記撮像装置の記録可能残容量が不足する状態の動作状況であることを特徴とする請求項３４に記載の通信装置の制御方法。
【請求項３６】
前記識別情報削除工程は、前記撮像装置における撮像した画像データの印刷注文動作状況に基づく、前記撮像装置から通知された前記撮像装置の識別情報の削除許可通知に応じて、前記撮像装置の識別情報を削除することを特徴とする請求項３３に記載の通信装置の制御方法。
【請求項３７】
前記撮像した画像データの印刷注文動作状況が、印刷注文の設定を行った状態の動作状況であることを特徴とする請求項３６に記載の通信装置の制御方法。
【請求項３８】
前記識別情報削除工程は、前記撮像装置からの機種種別通知に応じて、前記撮像装置の識別情報を削除することの可否を判定することを特徴とする請求項３３乃至請求項３７何れかに記載の通信装置の制御方法。
【請求項３９】
前記機種種別通知が回収型の撮像装置を表す通知であり、前記可否の判定が前記回収型の撮像装置を表す通知において前記撮像装置の識別情報を削除する判定であることを特徴とする請求項３８に記載の通信装置の制御方法。
【請求項４０】
前記通信装置は更に識別情報削除設定工程を備え、前記識別情報削除工程により前記撮像装置の識別情報を削除することの可否を設定可能とすることを特徴とする請求項３３乃至請求項３９何れかに記載の通信装置の制御方法。
【請求項４１】
撮像装置と通信可能に構成された通信装置を制御する制御プログラムを格納した記憶媒体であって、該制御プログラムが、
前記撮像装置との認証を行う認証工程と、前記認証工程での認証結果に応じて、前記撮像装置から通知された前記撮像装置の識別情報を登録管理する識別情報管理工程と、前記撮像装置から通知された前記撮像装置の識別情報の削除許可通知に応じて、前記撮像装置の識別情報を削除する識別情報削除工程のコードを具備することを特徴とする記憶媒体。
【請求項４２】
前記識別情報削除工程は、前記撮像装置における撮像した画像データの記録動作状況に基づく、前記撮像装置から通知された前記撮像装置の識別情報の削除許可通知に応じて、前記撮像装置の識別情報を削除することを特徴とする請求項４１に記載の記憶媒体。
【請求項４３】
前記撮像した画像データの記録動作状況が、前記撮像装置の記録可能残容量が不足する状態の動作状況であることを特徴とする請求項４２に記載の記憶媒体。
【請求項４４】
前記識別情報削除工程は、前記撮像装置における撮像した画像データの印刷注文動作状況に基づく、前記撮像装置から通知された前記撮像装置の識別情報の削除許可通知に応じて、前記撮像装置の識別情報を削除することを特徴とする請求項４１に記載の記憶媒体。
【請求項４５】
前記撮像した画像データの印刷注文動作状況が、印刷注文の設定を行った状態の動作状況であることを特徴とする請求項４４に記載の記憶媒体。
【請求項４６】
前記識別情報削除工程は、前記撮像装置からの機種種別通知に応じて、前記撮像装置の識別情報を削除することの可否を判定することを特徴とする請求項４１乃至請求項４５何れかに記載の記憶媒体。
【請求項４７】
前記機種種別通知が回収型の撮像装置を表す通知であり、前記可否の判定が前記回収型の撮像装置を表す通知において前記撮像装置の識別情報を削除する判定であることを特徴とする請求項４６に記載の記憶媒体。
【請求項４８】
前記通信装置は更に識別情報削除設定工程を備え、前記識別情報削除工程により前記撮像装置の識別情報を削除することの可否を設定可能とすることを特徴とする請求項４１乃至請求項４７何れかに記載の記憶媒体。
【請求項４９】
通信装置と通信可能に構成された撮像装置であって、
撮像手段と、前記撮像装置の識別情報を前記通信装置に通知する識別情報通知手段と、前記通知した撮像装置の識別情報の削除を前記通信装置に許可する識別情報削除許可通知手段とを有し、
前記通信装置が、前記撮像装置との認証結果に応じて前記撮像装置の識別情報を登録管理すると共に、前記識別情報削除許可通知手段からの前記撮像装置の識別情報の削除許可通知に応じて前記撮像装置の識別情報を削除することを特徴とする撮像装置。
【請求項５０】
前記撮像装置は更に前記撮像手段が撮像した画像データを記録する記録手段を備え、前記記録手段の動作状況に応じて、前記識別情報削除許可通知手段は前記通知した撮像装置の識別情報の前記識別情報管理手段からの削除を前記通信装置に許可することを特徴とする請求項４９に記載の撮像装置。
【請求項５１】
前記記録手段の動作状況が、前記記録手段の記録可能残容量が不足する状態の動作状況であることを特徴とする請求項５０に記載の撮像装置。
【請求項５２】
前記撮像装置は更に前記撮像手段が撮像した画像データの印刷注文を行う印刷注文手段を備え、前記印刷注文手段の動作状況に応じて、前記識別情報削除許可通知手段は前記通知した撮像装置の識別情報の前記識別情報管理手段からの削除を前記通信装置に許可することを特徴とする請求項４９に記載の撮像装置。
【請求項５３】
前記印刷注文手段の動作状況が、印刷注文の設定を行った状態の動作状況であることを特徴とする請求項５２に記載の撮像装置。
【請求項５４】
前記撮像装置は更に機種種別通知手段を備え、前記通信装置に前記機種種別通知手段からの機種種別通知を行うことにより、前記通信装置に前記通信装置において管理する前記撮像装置の識別情報の削除可否を判定させることを特徴とする請求項４９乃至請求項５３何れかに記載の撮像装置。
【請求項５５】
前記機種種別通知が回収型の撮像装置を表す通知であり、前記可否の判定が前記回収型の撮像装置を表す通知において前記撮像装置の識別情報を削除する判定であることを特徴とする請求項５４に記載の撮像装置。
【請求項５６】
通信装置と通信可能に構成された撮像装置の制御方法であって、
撮像工程と、前記撮像装置の識別情報を前記通信装置に通知する識別情報通知工程と、前記通知した撮像装置の識別情報の削除を前記通信装置に許可する識別情報削除許可通知工程とを有し、
前記通信装置が、前記撮像装置との認証結果に応じて前記撮像装置の識別情報を登録管理すると共に、前記識別情報削除許可通知工程からの前記撮像装置の識別情報の削除許可通知に応じて前記撮像装置の識別情報を削除することを特徴とする撮像装置の制御方法。
【請求項５７】
前記撮像装置は更に前記撮像工程において撮像した画像データを記録する記録工程を備え、前記記録工程の動作状況に応じて、前記識別情報削除許可通知工程は前記通知した撮像装置の識別情報の削除を前記通信装置に許可することを特徴とする請求項５６に記載の撮像装置の制御方法。
【請求項５８】
前記記録工程の動作状況が、前記記録工程の記録可能残容量が不足する状態の動作状況であることを特徴とする請求項５７に記載の撮像装置の制御方法。
【請求項５９】
前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする請求項５６に記載の撮像装置の制御方法。
【請求項６０】
前記印刷注文工程の動作状況が、印刷注文の設定を行った状態の動作状況であることを特徴とする請求項５９に記載の撮像装置の制御方法。
【請求項６１】
前記撮像装置は更に機種種別通知工程を備え、前記通信装置に前記機種種別通知工程からの機種種別通知を行うことにより、前記通信装置に前記通信装置において管理する前記撮像装置の識別情報の削除可否を判定させることを特徴とする請求項５６乃至請求項６０何れかに記載の撮像装置の制御方法。
【請求項６２】
前記機種種別通知が回収型の撮像装置を表す通知であり、前記可否の判定が前記回収型の撮像装置を表す通知において前記撮像装置の識別情報を削除する判定であることを特徴とする請求項６１に記載の撮像装置の制御方法。
【請求項６３】
通信装置と通信可能に構成された撮像装置を制御する制御プログラムを格納した記憶媒体であって、該制御プログラムが、
撮像工程と、前記撮像装置の識別情報を前記通信装置に通知する識別情報通知工程と、前記通知した撮像装置の識別情報の削除を前記通信装置に許可する識別情報削除許可通知工程のコードを具備し、
前記通信装置が、前記撮像装置との認証結果に応じて前記撮像装置の識別情報を登録管理すると共に、前記識別情報削除許可通知工程からの前記撮像装置の識別情報の削除許可通知に応じて前記撮像装置の識別情報を削除することを特徴とする記憶媒体。
【請求項６４】
前記撮像装置は更に前記撮像工程において撮像した画像データを記録する記録工程を備え、前記記録工程の動作状況に応じて、前記識別情報削除許可通知工程は前記通知した撮像装置の識別情報の削除を前記通信装置に許可することを特徴とする請求項６３に記載の記憶媒体。
【請求項６５】
前記記録工程の動作状況が、前記記録工程の記録可能残容量が不足する状態の動作状況であることを特徴とする請求項６４に記載の記憶媒体。
【請求項６６】
前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする請求項６３に記載の記憶媒体。
【請求項６７】
前記印刷注文工程の動作状況が、印刷注文の設定を行った状態の動作状況であることを特徴とする請求項６６に記載の記憶媒体。
【請求項６８】
前記撮像装置は更に機種種別通知工程を備え、前記通信装置に前記機種種別通知工程からの機種種別通知を行うことにより、前記通信装置に前記通信装置において管理する前記撮像装置の識別情報の削除可否を判定させることを特徴とする請求項５６乃至請求項６７何れかに記載の記憶媒体。
【請求項６９】
前記機種種別通知が回収型の撮像装置を表す通知であり、前記可否の判定が前記回収型の撮像装置を表す通知において前記撮像装置の識別情報を削除する判定であることを特徴とする請求項６８に記載の記憶媒体。
【発明の詳細な説明】
【技術分野】
【０００１】
本発明は、静止画像や動画像を撮像、記憶、通信、記録、再生する撮像システム及びその制御方法、通信装置、通信装置の制御方法、撮像装置、撮像装置の制御方法に関する。
【背景技術】
【０００２】
従来、固体メモリ素子を有するメモリカードを記録媒体として、静止画像や動画像を記録再生する電子カメラ等の撮像装置は既に市販されており、音声や画像を通信する携帯電話等の通信装置も販売されている。
【０００３】
これらの電子カメラや携帯電話からなる撮像システムを携行することにより、事務所や家庭等の屋内での作業に拘束されずに、屋外において機動的な業務推進を行うことが可能となっている。
【０００４】
特に、電子カメラにより撮影した画像データを携帯電話に転送するなど、電子カメラと携帯電話を協調して動作させることにより、利便性の良い撮像システムを構築することが可能となっている。
【０００５】
ここで、電子カメラ等の撮像装置及び携帯電話等の通信装置は機器アドレスを備え、相互に認証を行うことにより、撮影画像を含むデータの通信が可能となる仕組みとなっている。
【０００６】
一度、認証が行われれば、認証された機器アドレスは相互に登録されるため、以降、毎回認証手続きを行う必要を省くことが可能である。
【０００７】
また、電子カメラ等の撮像装置を、例えば外出先のコンビニエンスストアや観光地等で比較的安価に販売し、撮影を行った後に、撮影した画像データと共に撮像装置をプリントラボ業者に回収して写真プリントサービスを利用させることにより収益を上げ、安価に販売した撮像装置のコストを回収するビジネスモデルを実現する撮像システムも検討され始めている。
【０００８】
回収した撮像装置は、プリントラボから工場に送られ、再整備を実施して、再び店頭で販売される。
【０００９】
工場出荷時においては、撮像装置の各種設定は初期状態に設定されており、販売店において、撮像装置の購入者は、常に同じ設定状態の撮像装置を購入することが可能である。
【特許文献１】特開２００１−９４９６０号公報
【発明の開示】
【発明が解決しようとする課題】
【００１０】
このような従来の撮像システムにおいては、回収型カメラである撮像装置を販売店で新たに購入して撮影を行い、撮影を終えてプリントラボに撮像装置を渡すことを繰り返した場合に、不要となった撮像装置の機器アドレスが次々と登録されて残ったままとなり、この場合、これらの機器アドレスを備えた撮像装置が工場に送られて整備された後に新たに第三者に販売されて使用されると、これらの機器アドレスを備えた撮像装置は認証の必要なく通信装置に接続可能なままであり、不正アクセスの恐れがあるという問題があった。
【００１１】
すなわち本発明は、ＢＴ対応使い切りデジタルカメラシステムで、再認証不要な仕組みと回収再販売に起因する不正アクセスの問題を解決することを目的とする。
【課題を解決するための手段】
【００１２】
上記目的を達成するため、請求項１記載の発明は、撮像装置と通信装置が相互に通信可能に構成された撮像システムであって、前記撮像装置は、撮像手段と、前記撮像装置の識別情報を前記通信装置に通知する識別情報通知手段と、前記通知した撮像装置の識別情報の削除を前記通信装置に許可する識別情報削除許可通知手段とを有し、前記通信装置は、前記撮像装置との認証を行う認証手段と、前記認証手段での認証結果に応じて前記撮像装置の識別情報を登録管理する識別情報管理手段と、前記識別情報削除許可通知手段からの前記撮像装置の識別情報の削除許可通知に応じて前記識別情報管理手段から前記撮像装置の識別情報を削除する識別情報削除手段とを有することを特徴とする。
【００１３】
上記目的を達成するため、請求項２記載の発明は、前記撮像装置は更に前記撮像手段が撮像した画像データを記録する記録手段を備え、前記記録手段の動作状況に応じて、前記識別情報削除許可通知手段は前記通知した撮像装置の識別情報の前記識別情報管理手段からの削除を前記通信装置に許可することを特徴とする。
【００１４】
上記目的を達成するため、請求項３記載の発明は、前記記録手段の動作状況が、前記記録手段の記録可能残容量が不足する状態の動作状況であることを特徴とする。
【００１５】
上記目的を達成するため、請求項４記載の発明は、前記撮像装置は更に前記撮像手段が撮像した画像データの印刷注文を行う印刷注文手段を備え、前記印刷注文手段の動作状況に応じて、前記識別情報削除許可通知手段は前記通知した撮像装置の識別情報の前記識別情報管理手段からの削除を前記通信装置に許可することを特徴とする。
【００１６】
上記目的を達成するため、請求項５記載の発明は、前記印刷注文手段の動作状況が、印刷注文の設定を行った状態の動作状況であることを特徴とする。
【００１７】
上記目的を達成するため、請求項６記載の発明は、前記撮像装置は更に機種種別通知手段を備え、前記通信装置は前記機種種別通知手段からの機種種別通知に応じて、前記識別情報削除手段により前記識別情報管理手段から前記撮像装置の識別情報を削除することの可否を判定することを特徴とする。
【００１８】
上記目的を達成するため、請求項７記載の発明は、前記機種種別通知が回収型の撮像装置を表す通知であり、前記可否の判定が前記回収型の撮像装置を表す通知において前記撮像装置の識別情報を削除する判定であることを特徴とする。
【００１９】
上記目的を達成するため、請求項８記載の発明は、前記通信装置は更に識別情報削除設定手段を備え、前記識別情報削除手段により前記識別情報管理手段から前記撮像装置の識別情報を削除することの可否を設定可能とすることを特徴とする。
【００２０】
上記目的を達成するため、請求項９記載の発明は、撮像装置と通信装置が相互に通信可能に構成された撮像システムの制御方法であって、前記撮像装置において、前記撮像装置の識別情報を前記通信装置に通知する識別情報通知工程と、前記通知した撮像装置の識別情報の削除を前記通信装置に許可する識別情報削除許可通知工程と、前記通信装置において、前記撮像装置との認証を行う認証工程と、前記認証工程での認証結果に応じて前記撮像装置の識別情報を登録管理する識別情報管理工程と、前記識別情報削除許可通知工程からの前記撮像装置の識別情報の削除許可通知に応じて前記撮像装置の識別情報を削除する識別情報削除工程とを有することを特徴とする。
【００２１】
上記目的を達成するため、請求項１０記載の発明は、前記撮像装置は更に撮像した画像データを記録する記録工程を備え、前記記録工程での動作状況に応じて、前記識別情報削除許可通知工程において前記通知した撮像装置の識別情報の削除を前記通信装置に許可することを特徴とする。
【００２２】
上記目的を達成するため、請求項１１記載の発明は、前記記録工程の動作状況が、前記記録工程の記録可能残容量が不足する状態の動作状況であることを特徴とする。
【００２３】
上記目的を達成するため、請求項１２記載の発明は、前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする。
【００２４】
上記目的を達成するため、請求項１３記載の発明は、前記印刷注文工程の動作状況が、印刷注文の設定を行った状態の動作状況であることを特徴とする。
【００２５】
上記目的を達成するため、請求項１４記載の発明は、前記撮像装置は更に機種種別通知工程を備え、前記通信装置は前記機種種別通知工程からの機種種別通知に応じて、前記識別情報削除工程により前記撮像装置の識別情報を削除することの可否を判定することを特徴とする。
【００２６】
上記目的を達成するため、請求項１５記載の発明は、前記機種種別通知が回収型の撮像装置を表す通知であり、前記可否の判定が前記回収型の撮像装置を表す通知において前記撮像装置の識別情報を削除する判定であることを特徴とする。
【００２７】
上記目的を達成するため、請求項１６記載の発明は、前記通信装置は更に識別情報削除設定工程を備え、前記識別情報削除工程により前記撮像装置の識別情報を削除することの可否を設定可能とすることを特徴とする。
【００２８】
上記目的を達成するため、請求項１７記載の発明は、撮像装置と通信装置が相互に通信可能に構成された撮像システムを制御する制御プログラムを格納した記憶媒体であって、該制御プログラムが、前記撮像装置において、前記撮像装置の識別情報を前記通信装置に通知する識別情報通知工程と、前記通知した撮像装置の識別情報の削除を前記通信装置に許可する識別情報削除許可通知工程と、前記通信装置において、前記撮像装置との認証を行う認証工程と、前記認証工程での認証結果に応じて前記撮像装置の識別情報を登録管理する識別情報管理工程と、前記識別情報削除許可通知工程からの前記撮像装置の識別情報の削除許可通知に応じて前記撮像装置の識別情報を削除する識別情報削除工程のコードを具備することを特徴とする。
【００２９】
上記目的を達成するため、請求項１８記載の発明は、前記撮像装置は更に撮像した画像データを記録する記録工程を備え、前記記録工程での動作状況に応じて、前記識別情報削除許可通知工程において前記通知した撮像装置の識別情報の削除を前記通信装置に許可することを特徴とする。
【００３０】
上記目的を達成するため、請求項１９記載の発明は、前記記録工程の動作状況が、前記記録工程の記録可能残容量が不足する状態の動作状況であることを特徴とする。
【００３１】
上記目的を達成するため、請求項２０記載の発明は、前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする。
【００３２】
上記目的を達成するため、請求項２１記載の発明は、前記印刷注文工程の動作状況が、印刷注文の設定を行った状態の動作状況であることを特徴とする。
【００３３】
上記目的を達成するため、請求項２２記載の発明は、前記撮像装置は更に機種種別通知工程を備え、前記通信装置は前記機種種別通知工程からの機種種別通知に応じて、前記識別情報削除工程により前記撮像装置の識別情報を削除することの可否を判定することを特徴とする。
【００３４】
上記目的を達成するため、請求項２３記載の発明は、前記機種種別通知が回収型の撮像装置を表す通知であり、前記可否の判定が前記回収型の撮像装置を表す通知において前記撮像装置の識別情報を削除する判定であることを特徴とする。
【００３５】
上記目的を達成するため、請求項２４記載の発明は、前記通信装置は更に識別情報削除設定工程を備え、前記識別情報削除工程により前記撮像装置の識別情報を削除することの可否を設定可能とすることを特徴とする。
【００３６】
上記目的を達成するため、請求項２５記載の発明は、撮像装置と通信可能に構成された通信装置であって、前記撮像装置との認証を行う認証手段と、前記認証手段での認証結果に応じて、前記撮像装置から通知された前記撮像装置の識別情報を登録管理する識別情報管理手段と、前記撮像装置から通知された前記撮像装置の識別情報の削除許可通知に応じて、前記識別情報管理手段から前記撮像装置の識別情報を削除する識別情報削除手段とを有することを特徴とする。
【００３７】
上記目的を達成するため、請求項２６記載の発明は、前記識別情報削除手段は、前記撮像装置における撮像した画像データの記録動作状況に基づく、前記撮像装置から通知された前記撮像装置の識別情報の削除許可通知に応じて、前記識別情報管理手段から前記撮像装置の識別情報を削除することを特徴とする。
【００３８】
上記目的を達成するため、請求項２７記載の発明は、前記撮像した画像データの記録動作状況が、前記撮像装置の記録可能残容量が不足する状態の動作状況であることを特徴とする。
【００３９】
上記目的を達成するため、請求項２８記載の発明は、前記識別情報削除手段は、前記撮像装置における撮像した画像データの印刷注文動作状況に基づく、前記撮像装置から通知された前記撮像装置の識別情報の削除許可通知に応じて、前記識別情報管理手段から前記撮像装置の識別情報を削除することを特徴とする。
【００４０】
上記目的を達成するため、請求項２９記載の発明は、前記撮像した画像データの印刷注文動作状況が、印刷注文の設定を行った状態の動作状況であることを特徴とする。
【００４１】
上記目的を達成するため、請求項３０記載の発明は、前記識別情報削除手段は、前記撮像装置からの機種種別通知に応じて、前記識別情報管理手段から前記撮像装置の識別情報を削除することの可否を判定することを特徴とする。
【００４２】
上記目的を達成するため、請求項３１記載の発明は、前記機種種別通知が回収型の撮像装置を表す通知であり、前記可否の判定が前記回収型の撮像装置を表す通知において前記撮像装置の識別情報を削除する判定であることを特徴とする請求項３０に記載の通信装置。
【００４３】
上記目的を達成するため、請求項３２記載の発明は、前記通信装置は更に識別情報削除設定手段を備え、前記識別情報削除手段により前記識別情報管理手段から前記撮像装置の識別情報を削除することの可否を設定可能とすることを特徴とする。
【００４４】
上記目的を達成するため、請求項３３記載の発明は、撮像装置と通信可能に構成された通信装置の制御方法であって、前記撮像装置との認証を行う認証工程と、前記認証工程での認証結果に応じて、前記撮像装置から通知された前記撮像装置の識別情報を登録管理する識別情報管理工程と、前記撮像装置から通知された前記撮像装置の識別情報の削除許可通知に応じて、前記撮像装置の識別情報を削除する識別情報削除工程とを有することを特徴とする。
【００４５】
上記目的を達成するため、請求項３４記載の発明は、前記識別情報削除工程は、前記撮像装置における撮像した画像データの記録動作状況に基づく、前記撮像装置から通知された前記撮像装置の識別情報の削除許可通知に応じて、前記撮像装置の識別情報を削除することを特徴とする。
【００４６】
上記目的を達成するため、請求項３５記載の発明は、前記撮像した画像データの記録動作状況が、前記撮像装置の記録可能残容量が不足する状態の動作状況であることを特徴とする。
【００４７】
上記目的を達成するため、請求項３６記載の発明は、前記識別情報削除工程は、前記撮像装置における撮像した画像データの印刷注文動作状況に基づく、前記撮像装置から通知された前記撮像装置の識別情報の削除許可通知に応じて、前記撮像装置の識別情報を削除することを特徴とする。
【００４８】
上記目的を達成するため、請求項３７記載の発明は、前記撮像した画像データの印刷注文動作状況が、印刷注文の設定を行った状態の動作状況であることを特徴とする。
【００４９】
上記目的を達成するため、請求項３８記載の発明は、前記識別情報削除工程は、前記撮像装置からの機種種別通知に応じて、前記撮像装置の識別情報を削除することの可否を判定することを特徴とする。
【００５０】
上記目的を達成するため、請求項３９記載の発明は、前記機種種別通知が回収型の撮像装置を表す通知であり、前記可否の判定が前記回収型の撮像装置を表す通知において前記撮像装置の識別情報を削除する判定であることを特徴とする。
【００５１】
上記目的を達成するため、請求項４０記載の発明は、前記通信装置は更に識別情報削除設定工程を備え、前記識別情報削除工程により前記撮像装置の識別情報を削除することの可否を設定可能とすることを特徴とする。
【００５２】
上記目的を達成するため、請求項４１記載の発明は、撮像装置と通信可能に構成された通信装置を制御する制御プログラムを格納した記憶媒体であって、該制御プログラムが、前記撮像装置との認証を行う認証工程と、前記認証工程での認証結果に応じて、前記撮像装置から通知された前記撮像装置の識別情報を登録管理する識別情報管理工程と、前記撮像装置から通知された前記撮像装置の識別情報の削除許可通知に応じて、前記撮像装置の識別情報を削除する識別情報削除工程のコードを具備することを特徴とする。
【００５３】
上記目的を達成するため、請求項４２記載の発明は、前記識別情報削除工程は、前記撮像装置における撮像した画像データの記録動作状況に基づく、前記撮像装置から通知された前記撮像装置の識別情報の削除許可通知に応じて、前記撮像装置の識別情報を削除することを特徴とする。
【００５４】
上記目的を達成するため、請求項４３記載の発明は、前記撮像した画像データの記録動作状況が、前記撮像装置の記録可能残容量が不足する状態の動作状況であることを特徴とする。
【００５５】
上記目的を達成するため、請求項４４記載の発明は、前記識別情報削除工程は、前記撮像装置における撮像した画像データの印刷注文動作状況に基づく、前記撮像装置から通知された前記撮像装置の識別情報の削除許可通知に応じて、前記撮像装置の識別情報を削除することを特徴とする。
【００５６】
上記目的を達成するため、請求項４５記載の発明は、前記撮像した画像データの印刷注文動作状況が、印刷注文の設定を行った状態の動作状況であることを特徴とする。
【００５７】
上記目的を達成するため、請求項４６記載の発明は、前記識別情報削除工程は、前記撮像装置からの機種種別通知に応じて、前記撮像装置の識別情報を削除することの可否を判定することを特徴とする。
【００５８】
上記目的を達成するため、請求項４７記載の発明は、前記機種種別通知が回収型の撮像装置を表す通知であり、前記可否の判定が前記回収型の撮像装置を表す通知において前記撮像装置の識別情報を削除する判定であることを特徴とする。
【００５９】
上記目的を達成するため、請求項４８記載の発明は、前記通信装置は更に識別情報削除設定工程を備え、前記識別情報削除工程により前記撮像装置の識別情報を削除することの可否を設定可能とすることを特徴とする。
【００６０】
上記目的を達成するため、請求項４９記載の発明は、通信装置と通信可能に構成された撮像装置であって、撮像手段と、前記撮像装置の識別情報を前記通信装置に通知する識別情報通知手段と、前記通知した撮像装置の識別情報の削除を前記通信装置に許可する識別情報削除許可通知手段とを有し、前記通信装置が、前記撮像装置との認証結果に応じて前記撮像装置の識別情報を登録管理すると共に、前記識別情報削除許可通知手段からの前記撮像装置の識別情報の削除許可通知に応じて前記撮像装置の識別情報を削除することを特徴とする。
【００６１】
上記目的を達成するため、請求項５０記載の発明は、前記撮像装置は更に前記撮像手段が撮像した画像データを記録する記録手段を備え、前記記録手段の動作状況に応じて、前記識別情報削除許可通知手段は前記通知した撮像装置の識別情報の前記識別情報管理手段からの削除を前記通信装置に許可することを特徴とする。
【００６２】
上記目的を達成するため、請求項５１記載の発明は、前記記録手段の動作状況が、前記記録手段の記録可能残容量が不足する状態の動作状況であることを特徴とする。
【００６３】
上記目的を達成するため、請求項５２記載の発明は、前記撮像装置は更に前記撮像手段が撮像した画像データの印刷注文を行う印刷注文手段を備え、前記印刷注文手段の動作状況に応じて、前記識別情報削除許可通知手段は前記通知した撮像装置の識別情報の前記識別情報管理手段からの削除を前記通信装置に許可することを特徴とする置。
【００６４】
上記目的を達成するため、請求項５３記載の発明は、前記印刷注文手段の動作状況が、印刷注文の設定を行った状態の動作状況であることを特徴とする。
【００６５】
上記目的を達成するため、請求項５４記載の発明は、前記撮像装置は更に機種種別通知手段を備え、前記通信装置に前記機種種別通知手段からの機種種別通知を行うことにより、前記通信装置に前記通信装置において管理する前記撮像装置の識別情報の削除可否を判定させることを特徴とする。
【００６６】
上記目的を達成するため、請求項５５記載の発明は、前記機種種別通知が回収型の撮像装置を表す通知であり、前記可否の判定が前記回収型の撮像装置を表す通知において前記撮像装置の識別情報を削除する判定であることを特徴とする。
【００６７】
上記目的を達成するため、請求項５６記載の発明は、通信装置と通信可能に構成された撮像装置の制御方法であって、撮像工程と、前記撮像装置の識別情報を前記通信装置に通知する識別情報通知工程と、前記通知した撮像装置の識別情報の削除を前記通信装置に許可する識別情報削除許可通知工程とを有し、前記通信装置が、前記撮像装置との認証結果に応じて前記撮像装置の識別情報を登録管理すると共に、前記識別情報削除許可通知工程からの前記撮像装置の識別情報の削除許可通知に応じて前記撮像装置の識別情報を削除することを特徴とする。
【００６８】
上記目的を達成するため、請求項５７記載の発明は、前記撮像装置は更に前記撮像工程において撮像した画像データを記録する記録工程を備え、前記記録工程の動作状況に応じて、前記識別情報削除許可通知工程は前記通知した撮像装置の識別情報の削除を前記通信装置に許可することを特徴とする。
【００６９】
上記目的を達成するため、請求項５８記載の発明は、前記記録工程の動作状況が、前記記録工程の記録可能残容量が不足する状態の動作状況であることを特徴とする。
【００７０】
上記目的を達成するため、請求項５９記載の発明は、前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする。
【００７１】
上記目的を達成するため、請求項６０記載の発明は、前記印刷注文工程の動作状況が、印刷注文の設定を行った状態の動作状況であることを特徴とする。
【００７２】
上記目的を達成するため、請求項６１記載の発明は、前記撮像装置は更に機種種別通知工程を備え、前記通信装置に前記機種種別通知工程からの機種種別通知を行うことにより、前記通信装置に前記通信装置において管理する前記撮像装置の識別情報の削除可否を判定させることを特徴とする。
【００７３】
上記目的を達成するため、請求項６２記載の発明は、前記機種種別通知が回収型の撮像装置を表す通知であり、前記可否の判定が前記回収型の撮像装置を表す通知において前記撮像装置の識別情報を削除する判定であることを特徴とする。
【００７４】
上記目的を達成するため、請求項６３記載の発明は、通信装置と通信可能に構成された撮像装置を制御する制御プログラムを格納した記憶媒体であって、該制御プログラムが、撮像工程と、前記撮像装置の識別情報を前記通信装置に通知する識別情報通知工程と、前記通知した撮像装置の識別情報の削除を前記通信装置に許可する識別情報削除許可通知工程のコードを具備し、前記通信装置が、前記撮像装置との認証結果に応じて前記撮像装置の識別情報を登録管理すると共に、前記識別情報削除許可通知工程からの前記撮像装置の識別情報の削除許可通知に応じて前記撮像装置の識別情報を削除することを特徴とする。
【００７５】
上記目的を達成するため、請求項６４記載の発明は、前記撮像装置は更に前記撮像工程において撮像した画像データを記録する記録工程を備え、前記記録工程の動作状況に応じて、前記識別情報削除許可通知工程は前記通知した撮像装置の識別情報の削除を前記通信装置に許可することを特徴とする。
【００７６】
上記目的を達成するため、請求項６５記載の発明は、前記記録工程の動作状況が、前記記録工程の記録可能残容量が不足する状態の動作状況であることを特徴とする。
【００７７】
上記目的を達成するため、請求項６６記載の発明は、前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする。
【００７８】
上記目的を達成するため、請求項６７記載の発明は、前記印刷注文工程の動作状況が、印刷注文の設定を行った状態の動作状況であることを特徴とする。
【００７９】
上記目的を達成するため、請求項６８記載の発明は、前記撮像装置は更に機種種別通知工程を備え、前記通信装置に前記機種種別通知工程からの機種種別通知を行うことにより、前記通信装置に前記通信装置において管理する前記撮像装置の識別情報の削除可否を判定させることを特徴とする。
【００８０】
上記目的を達成するため、請求項６９記載の発明は、前記機種種別通知が回収型の撮像装置を表す通知であり、前記可否の判定が前記回収型の撮像装置を表す通知において前記撮像装置の識別情報を削除する判定であることを特徴とする。
【００８１】
上記手段により、回収型カメラである撮像装置を販売店で新たに購入して撮影を行い、撮影を終えてプリントラボに撮像装置を渡すことを繰り返した場合に、不要となった撮像装置の機器アドレスが次々と登録されて残ったままとなり、この場合、これらの機器アドレスを備えた撮像装置が工場に送られて整備された後に新たに第三者に販売されて使用されると、これらの機器アドレスを備えた撮像装置は認証の必要なく通信装置に接続可能なままであり、不正アクセスの恐れがあるという問題の無い撮像システム及びその制御方法及び記憶媒体を提供することが可能となる。
【発明の効果】
【００８２】
以上の説明から容易に理解できるように、請求項１記載の発明によれば、撮像装置と通信装置が相互に通信可能に構成された撮像システムであって、前記撮像装置は、撮像手段と、前記撮像装置の識別情報を前記通信装置に通知する識別情報通知手段と、前記通知した撮像装置の識別情報の削除を前記通信装置に許可する識別情報削除許可通知手段とを有し、前記通信装置は、前記撮像装置との認証を行う認証手段と、前記認証手段での認証結果に応じて前記撮像装置の識別情報を登録管理する識別情報管理手段と、前記識別情報削除許可通知手段からの前記撮像装置の識別情報の削除許可通知に応じて前記識別情報管理手段から前記撮像装置の識別情報を削除する識別情報削除手段とを有することを特徴とする撮像システムを提供することが可能となる。
【００８３】
請求項２記載の発明によれば、前記撮像装置は更に前記撮像手段が撮像した画像データを記録する記録手段を備え、前記記録手段の動作状況に応じて、前記識別情報削除許可通知手段は前記通知した撮像装置の識別情報の前記識別情報管理手段からの削除を前記通信装置に許可することを特徴とする撮像システムを提供することが可能となる。
【００８４】
請求項３記載の発明によれば、前記記録手段の動作状況が、前記記録手段の記録可能残容量が不足する状態の動作状況であることを特徴とする撮像システムを提供することが可能となる。
【００８５】
請求項４記載の発明によれば、前記撮像装置は更に前記撮像手段が撮像した画像データの印刷注文を行う印刷注文手段を備え、前記印刷注文手段の動作状況に応じて、前記識別情報削除許可通知手段は前記通知した撮像装置の識別情報の前記識別情報管理手段からの削除を前記通信装置に許可することを特徴とする撮像システムを提供することが可能となる。
【００８６】
請求項５記載の発明によれば、前記印刷注文手段の動作状況が、印刷注文の設定を行った状態の動作状況であることを特徴とする撮像システムを提供することが可能となる。
【００８７】
請求項６記載の発明によれば、前記撮像装置は更に機種種別通知手段を備え、前記通信装置は前記機種種別通知手段からの機種種別通知に応じて、前記識別情報削除手段により前記識別情報管理手段から前記撮像装置の識別情報を削除することの可否を判定することを特徴とする撮像システムを提供することが可能となる。
【００８８】
請求項７記載の発明によれば、前記機種種別通知が回収型の撮像装置を表す通知であり、前記可否の判定が前記回収型の撮像装置を表す通知において前記撮像装置の識別情報を削除する判定であることを特徴とする撮像システムを提供することが可能となる。
【００８９】
請求項８記載の発明によれば、前記通信装置は更に識別情報削除設定手段を備え、前記識別情報削除手段により前記識別情報管理手段から前記撮像装置の識別情報を削除することの可否を設定可能とすることを特徴とする撮像システムを提供することが可能となる。
【００９０】
請求項９記載の発明によれば、撮像装置と通信装置が相互に通信可能に構成された撮像システムの制御方法であって、前記撮像装置において、前記撮像装置の識別情報を前記通信装置に通知する識別情報通知工程と、前記通知した撮像装置の識別情報の削除を前記通信装置に許可する識別情報削除許可通知工程と、前記通信装置において、前記撮像装置との認証を行う認証工程と、前記認証工程での認証結果に応じて前記撮像装置の識別情報を登録管理する識別情報管理工程と、前記識別情報削除許可通知工程からの前記撮像装置の識別情報の削除許可通知に応じて前記撮像装置の識別情報を削除する識別情報削除工程とを有することを特徴とする撮像システムの制御方法を提供することが可能となる。
【００９１】
請求項１０記載の発明によれば、前記撮像装置は更に撮像した画像データを記録する記録工程を備え、前記記録工程での動作状況に応じて、前記識別情報削除許可通知工程において前記通知した撮像装置の識別情報の削除を前記通信装置に許可することを特徴とする撮像システムの制御方法を提供することが可能となる。
【００９２】
請求項１１記載の発明によれば、前記記録工程の動作状況が、前記記録工程の記録可能残容量が不足する状態の動作状況であることを特徴とする撮像システムの制御方法を提供することが可能となる。
【００９３】
請求項１２記載の発明によれば、前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする撮像システムの制御方法を提供することが可能となる。
【００９４】
請求項１３記載の発明によれば、前記印刷注文工程の動作状況が、印刷注文の設定を行った状態の動作状況であることを特徴とする撮像システムの制御方法を提供することが可能となる。
【００９５】
請求項１４記載の発明によれば、前記撮像装置は更に機種種別通知工程を備え、前記通信装置は前記機種種別通知工程からの機種種別通知に応じて、前記識別情報削除工程により前記撮像装置の識別情報を削除することの可否を判定することを特徴とする撮像システムの制御方法を提供することが可能となる。
【００９６】
請求項１５記載の発明によれば、前記機種種別通知が回収型の撮像装置を表す通知であり、前記可否の判定が前記回収型の撮像装置を表す通知において前記撮像装置の識別情報を削除する判定であることを特徴とする撮像システムの制御方法を提供することが可能となる。
【００９７】
請求項１６記載の発明によれば、前記通信装置は更に識別情報削除設定工程を備え、前記識別情報削除工程により前記撮像装置の識別情報を削除することの可否を設定可能とすることを特徴とする撮像システムの制御方法を提供することが可能となる。
【００９８】
請求項１７記載の発明によれば、撮像装置と通信装置が相互に通信可能に構成された撮像システムを制御する制御プログラムを格納した記憶媒体であって、該制御プログラムが、前記撮像装置において、前記撮像装置の識別情報を前記通信装置に通知する識別情報通知工程と、前記通知した撮像装置の識別情報の削除を前記通信装置に許可する識別情報削除許可通知工程と、前記通信装置において、前記撮像装置との認証を行う認証工程と、前記認証工程での認証結果に応じて前記撮像装置の識別情報を登録管理する識別情報管理工程と、前記識別情報削除許可通知工程からの前記撮像装置の識別情報の削除許可通知に応じて前記撮像装置の識別情報を削除する識別情報削除工程のコードを具備することを特徴とする記憶媒体を提供することが可能となる。
【００９９】
請求項１８記載の発明によれば、前記撮像装置は更に撮像した画像データを記録する記録工程を備え、前記記録工程での動作状況に応じて、前記識別情報削除許可通知工程において前記通知した撮像装置の識別情報の削除を前記通信装置に許可することを特徴とする記憶媒体を提供することが可能となる。
【０１００】
請求項１９記載の発明によれば、前記記録工程の動作状況が、前記記録工程の記録可能残容量が不足する状態の動作状況であることを特徴とする記憶媒体を提供することが可能となる。
【０１０１】
請求項２０記載の発明によれば、前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする記憶媒体を提供することが可能となる。
【０１０２】
請求項２１記載の発明によれば、前記印刷注文工程の動作状況が、印刷注文の設定を行った状態の動作状況であることを特徴とする記憶媒体を提供することが可能となる。
【０１０３】
請求項２２記載の発明によれば、前記撮像装置は更に機種種別通知工程を備え、前記通信装置は前記機種種別通知工程からの機種種別通知に応じて、前記識別情報削除工程により前記撮像装置の識別情報を削除することの可否を判定することを特徴とする記憶媒体を提供することが可能となる。
【０１０４】
請求項２３記載の発明によれば、前記機種種別通知が回収型の撮像装置を表す通知であり、前記可否の判定が前記回収型の撮像装置を表す通知において前記撮像装置の識別情報を削除する判定であることを特徴とする記憶媒体を提供することが可能となる。
【０１０５】
請求項２４記載の発明によれば、前記通信装置は更に識別情報削除設定工程を備え、前記識別情報削除工程により前記撮像装置の識別情報を削除することの可否を設定可能とすることを特徴とする記憶媒体を提供することが可能となる。
【０１０６】
請求項２５記載の発明によれば、撮像装置と通信可能に構成された通信装置であって、前記撮像装置との認証を行う認証手段と、前記認証手段での認証結果に応じて、前記撮像装置から通知された前記撮像装置の識別情報を登録管理する識別情報管理手段と、前記撮像装置から通知された前記撮像装置の識別情報の削除許可通知に応じて、前記識別情報管理手段から前記撮像装置の識別情報を削除する識別情報削除手段とを有することを特徴とする通信装置を提供することが可能となる。
【０１０７】
請求項２６記載の発明によれば、前記識別情報削除手段は、前記撮像装置における撮像した画像データの記録動作状況に基づく、前記撮像装置から通知された前記撮像装置の識別情報の削除許可通知に応じて、前記識別情報管理手段から前記撮像装置の識別情報を削除することを特徴とする通信装置を提供することが可能となる。
【０１０８】
請求項２７記載の発明によれば、前記撮像した画像データの記録動作状況が、前記撮像装置の記録可能残容量が不足する状態の動作状況であることを特徴とする通信装置を提供することが可能となる。
【０１０９】
請求項２８記載の発明によれば、前記識別情報削除手段は、前記撮像装置における撮像した画像データの印刷注文動作状況に基づく、前記撮像装置から通知された前記撮像装置の識別情報の削除許可通知に応じて、前記識別情報管理手段から前記撮像装置の識別情報を削除することを特徴とする通信装置を提供することが可能となる。
【０１１０】
請求項２９記載の発明によれば、前記撮像した画像データの印刷注文動作状況が、印刷注文の設定を行った状態の動作状況であることを特徴とする通信装置を提供することが可能となる。
【０１１１】
請求項３０記載の発明によれば、前記識別情報削除手段は、前記撮像装置からの機種種別通知に応じて、前記識別情報管理手段から前記撮像装置の識別情報を削除することの可否を判定することを特徴とする通信装置を提供することが可能となる。
【０１１２】
請求項３１記載の発明によれば、前記機種種別通知が回収型の撮像装置を表す通知であり、前記可否の判定が前記回収型の撮像装置を表す通知において前記撮像装置の識別情報を削除する判定であることを特徴とする請求項３０に記載の通信装置通信装置を提供することが可能となる。
【０１１３】
請求項３２記載の発明によれば、前記通信装置は更に識別情報削除設定手段を備え、前記識別情報削除手段により前記識別情報管理手段から前記撮像装置の識別情報を削除することの可否を設定可能とすることを特徴とする通信装置を提供することが可能となる。
【０１１４】
請求項３３記載の発明によれば、撮像装置と通信可能に構成された通信装置の制御方法であって、前記撮像装置との認証を行う認証工程と、前記認証工程での認証結果に応じて、前記撮像装置から通知された前記撮像装置の識別情報を登録管理する識別情報管理工程と、前記撮像装置から通知された前記撮像装置の識別情報の削除許可通知に応じて、前記撮像装置の識別情報を削除する識別情報削除工程とを有することを特徴とする通信装置の制御方法を提供することが可能となる。
【０１１５】
請求項３４記載の発明によれば、前記識別情報削除工程は、前記撮像装置における撮像した画像データの記録動作状況に基づく、前記撮像装置から通知された前記撮像装置の識別情報の削除許可通知に応じて、前記撮像装置の識別情報を削除することを特徴とする通信装置の制御方法を提供することが可能となる。
【０１１６】
請求項３５記載の発明によれば、前記撮像した画像データの記録動作状況が、前記撮像装置の記録可能残容量が不足する状態の動作状況であることを特徴とする通信装置の制御方法を提供することが可能となる。
【０１１７】
請求項３６記載の発明によれば、前記識別情報削除工程は、前記撮像装置における撮像した画像データの印刷注文動作状況に基づく、前記撮像装置から通知された前記撮像装置の識別情報の削除許可通知に応じて、前記撮像装置の識別情報を削除することを特徴とする通信装置の制御方法を提供することが可能となる。
【０１１８】
請求項３７記載の発明によれば、前記撮像した画像データの印刷注文動作状況が、印刷注文の設定を行った状態の動作状況であることを特徴とする通信装置の制御方法を提供することが可能となる。
【０１１９】
請求項３８記載の発明によれば、前記識別情報削除工程は、前記撮像装置からの機種種別通知に応じて、前記撮像装置の識別情報を削除することの可否を判定することを特徴とする通信装置の制御方法を提供することが可能となる。
【０１２０】
請求項３９記載の発明によれば、前記機種種別通知が回収型の撮像装置を表す通知であり、前記可否の判定が前記回収型の撮像装置を表す通知において前記撮像装置の識別情報を削除する判定であることを特徴とする通信装置の制御方法を提供することが可能となる。
【０１２１】
請求項４０記載の発明によれば、前記通信装置は更に識別情報削除設定工程を備え、前記識別情報削除工程により前記撮像装置の識別情報を削除することの可否を設定可能とすることを特徴とする通信装置の制御方法を提供することが可能となる。
【０１２２】
請求項４１記載の発明によれば、撮像装置と通信可能に構成された通信装置を制御する制御プログラムを格納した記憶媒体であって、該制御プログラムが、前記撮像装置との認証を行う認証工程と、前記認証工程での認証結果に応じて、前記撮像装置から通知された前記撮像装置の識別情報を登録管理する識別情報管理工程と、前記撮像装置から通知された前記撮像装置の識別情報の削除許可通知に応じて、前記撮像装置の識別情報を削除する識別情報削除工程のコードを具備することを特徴とする記憶媒体を提供することが可能となる。
【０１２３】
請求項４２記載の発明によれば、前記識別情報削除工程は、前記撮像装置における撮像した画像データの記録動作状況に基づく、前記撮像装置から通知された前記撮像装置の識別情報の削除許可通知に応じて、前記撮像装置の識別情報を削除することを特徴とする記憶媒体を提供することが可能となる。
【０１２４】
請求項４３記載の発明によれば、前記撮像した画像データの記録動作状況が、前記撮像装置の記録可能残容量が不足する状態の動作状況であることを特徴とする記憶媒体を提供することが可能となる。
【０１２５】
請求項４４記載の発明によれば、前記識別情報削除工程は、前記撮像装置における撮像した画像データの印刷注文動作状況に基づく、前記撮像装置から通知された前記撮像装置の識別情報の削除許可通知に応じて、前記撮像装置の識別情報を削除することを特徴とする記憶媒体を提供することが可能となる。
【０１２６】
請求項４５記載の発明によれば、前記撮像した画像データの印刷注文動作状況が、印刷注文の設定を行った状態の動作状況であることを特徴とする記憶媒体を提供することが可能となる。
【０１２７】
請求項４６記載の発明によれば、前記識別情報削除工程は、前記撮像装置からの機種種別通知に応じて、前記撮像装置の識別情報を削除することの可否を判定することを特徴とする記憶媒体を提供することが可能となる。
【０１２８】
請求項４７記載の発明によれば、前記機種種別通知が回収型の撮像装置を表す通知であり、前記可否の判定が前記回収型の撮像装置を表す通知において前記撮像装置の識別情報を削除する判定であることを特徴とする記憶媒体を提供することが可能となる。
【０１２９】
請求項４８記載の発明によれば、前記通信装置は更に識別情報削除設定工程を備え、前記識別情報削除工程により前記撮像装置の識別情報を削除することの可否を設定可能とすることを特徴とする記憶媒体を提供することが可能となる。
【０１３０】
請求項４９記載の発明によれば、通信装置と通信可能に構成された撮像装置であって、撮像手段と、前記撮像装置の識別情報を前記通信装置に通知する識別情報通知手段と、前記通知した撮像装置の識別情報の削除を前記通信装置に許可する識別情報削除許可通知手段とを有し、前記通信装置が、前記撮像装置との認証結果に応じて前記撮像装置の識別情報を登録管理すると共に、前記識別情報削除許可通知手段からの前記撮像装置の識別情報の削除許可通知に応じて前記撮像装置の識別情報を削除することを特徴とする撮像装置を提供することが可能となる。
【０１３１】
請求項５０記載の発明によれば、前記撮像装置は更に前記撮像手段が撮像した画像データを記録する記録手段を備え、前記記録手段の動作状況に応じて、前記識別情報削除許可通知手段は前記通知した撮像装置の識別情報の前記識別情報管理手段からの削除を前記通信装置に許可することを特徴とする撮像装置を提供することが可能となる。
【０１３２】
請求項５１記載の発明によれば、前記記録手段の動作状況が、前記記録手段の記録可能残容量が不足する状態の動作状況であることを特徴とする撮像装置を提供することが可能となる。
【０１３３】
請求項５２記載の発明によれば、前記撮像装置は更に前記撮像手段が撮像した画像データの印刷注文を行う印刷注文手段を備え、前記印刷注文手段の動作状況に応じて、前記識別情報削除許可通知手段は前記通知した撮像装置の識別情報の前記識別情報管理手段からの削除を前記通信装置に許可することを特徴とする置撮像装置を提供することが可能となる。
【０１３４】
請求項５３記載の発明によれば、前記印刷注文手段の動作状況が、印刷注文の設定を行った状態の動作状況であることを特徴とする撮像装置を提供することが可能となる。
【０１３５】
請求項５４記載の発明によれば、前記撮像装置は更に機種種別通知手段を備え、前記通信装置に前記機種種別通知手段からの機種種別通知を行うことにより、前記通信装置に前記通信装置において管理する前記撮像装置の識別情報の削除可否を判定させることを特徴とする撮像装置を提供することが可能となる。
【０１３６】
請求項５５記載の発明によれば、前記機種種別通知が回収型の撮像装置を表す通知であり、前記可否の判定が前記回収型の撮像装置を表す通知において前記撮像装置の識別情報を削除する判定であることを特徴とする撮像装置を提供することが可能となる。
【０１３７】
請求項５６記載の発明によれば、通信装置と通信可能に構成された撮像装置の制御方法であって、撮像工程と、前記撮像装置の識別情報を前記通信装置に通知する識別情報通知工程と、前記通知した撮像装置の識別情報の削除を前記通信装置に許可する識別情報削除許可通知工程とを有し、前記通信装置が、前記撮像装置との認証結果に応じて前記撮像装置の識別情報を登録管理すると共に、前記識別情報削除許可通知工程からの前記撮像装置の識別情報の削除許可通知に応じて前記撮像装置の識別情報を削除することを特徴とする撮像装置の制御方法を提供することが可能となる。
【０１３８】
請求項５７記載の発明によれば、前記撮像装置は更に前記撮像工程において撮像した画像データを記録する記録工程を備え、前記記録工程の動作状況に応じて、前記識別情報削除許可通知工程は前記通知した撮像装置の識別情報の削除を前記通信装置に許可することを特徴とする撮像装置の制御方法を提供することが可能となる。
【０１３９】
請求項５８記載の発明によれば、前記記録工程の動作状況が、前記記録工程の記録可能残容量が不足する状態の動作状況であることを特徴とする撮像装置の制御方法を提供することが可能となる。
【０１４０】
請求項５９記載の発明によれば、前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする撮像装置の制御方法を提供することが可能となる。
【０１４１】
請求項６０記載の発明によれば、前記印刷注文工程の動作状況が、印刷注文の設定を行った状態の動作状況であることを特徴とする撮像装置の制御方法を提供することが可能となる。
【０１４２】
請求項６１記載の発明によれば、前記撮像装置は更に機種種別通知工程を備え、前記通信装置に前記機種種別通知工程からの機種種別通知を行うことにより、前記通信装置に前記通信装置において管理する前記撮像装置の識別情報の削除可否を判定させることを特徴とする撮像装置の制御方法を提供することが可能となる。
【０１４３】
請求項６２記載の発明によれば、前記機種種別通知が回収型の撮像装置を表す通知であり、前記可否の判定が前記回収型の撮像装置を表す通知において前記撮像装置の識別情報を削除する判定であることを特徴とする撮像装置の制御方法を提供することが可能となる。
【０１４４】
請求項６３記載の発明によれば、通信装置と通信可能に構成された撮像装置を制御する制御プログラムを格納した記憶媒体であって、該制御プログラムが、撮像工程と、前記撮像装置の識別情報を前記通信装置に通知する識別情報通知工程と、前記通知した撮像装置の識別情報の削除を前記通信装置に許可する識別情報削除許可通知工程のコードを具備し、前記通信装置が、前記撮像装置との認証結果に応じて前記撮像装置の識別情報を登録管理すると共に、前記識別情報削除許可通知工程からの前記撮像装置の識別情報の削除許可通知に応じて前記撮像装置の識別情報を削除することを特徴とする記憶媒体を提供することが可能となる。
【０１４５】
請求項６４記載の発明によれば、前記撮像装置は更に前記撮像工程において撮像した画像データを記録する記録工程を備え、前記記録工程の動作状況に応じて、前記識別情報削除許可通知工程は前記通知した撮像装置の識別情報の削除を前記通信装置に許可することを特徴とする記憶媒体を提供することが可能となる。
【０１４６】
請求項６５記載の発明によれば、前記記録工程の動作状況が、前記記録工程の記録可能残容量が不足する状態の動作状況であることを特徴とする記憶媒体を提供することが可能となる。
【０１４７】
請求項６６記載の発明によれば、前記撮像装置は更に前記撮像工程が撮像した画像データの印刷注文を行う印刷注文工程を備え、前記印刷注文工程の動作状況に応じて、前記識別情報削除許可通知工程は前記通知した撮像装置の識別情報の削除を前記通信装置に許可することを特徴とする記憶媒体を提供することが可能となる。
【０１４８】
請求項６７記載の発明によれば、前記印刷注文工程の動作状況が、印刷注文の設定を行った状態の動作状況であることを特徴とする記憶媒体を提供することが可能となる。
【０１４９】
請求項６８記載の発明によれば、前記撮像装置は更に機種種別通知工程を備え、前記通信装置に前記機種種別通知工程からの機種種別通知を行うことにより、前記通信装置に前記通信装置において管理する前記撮像装置の識別情報の削除可否を判定させることを特徴とする記憶媒体を提供することが可能となる。
【０１５０】
請求項６９記載の発明によれば、前記機種種別通知が回収型の撮像装置を表す通知であり、前記可否の判定が前記回収型の撮像装置を表す通知において前記撮像装置の識別情報を削除する判定であることを特徴とする記憶媒体を提供することが可能となる。
【０１５１】
上記手段により、回収型カメラである撮像装置を販売店で新たに購入して撮影を行い、撮影を終えてプリントラボに撮像装置を渡すことを繰り返した場合に、不要となった撮像装置の機器アドレスが次々と登録されて残ったままとなり、この場合、これらの機器アドレスを備えた撮像装置が工場に送られて整備された後に新たに第三者に販売されて使用されると、これらの機器アドレスを備えた撮像装置は認証の必要なく通信装置に接続可能なままであり、不正アクセスの恐れがあるという問題の無い撮像システム及びその制御方法、通信装置、通信装置の制御方法、撮像装置、撮像装置の制御方法を提供することが可能となる。
【発明を実施するための最良の形態】
【０１５２】
以下本発明を実施するための最良の形態を、実施例により詳しく説明する。
【実施例】
【０１５３】
（第１の実施例）
図１は、本発明の実施例における全体システム構成を示す図である。
【０１５４】
１００は電子カメラ等の撮像装置、４５０は撮像装置１００を製造する工場、９００は撮像装置１００を販売する販売店、８００は印刷装置（プリントサービス）である。
【０１５５】
撮像装置１００の使用者は、撮像装置１００を販売店９００で購入して撮影を行うと共に、撮影を終えた撮像装置１００を印刷装置（プリントサービス）８００に持ち込むことにより、写真プリント８５０を入手することが出来る。
【０１５６】
上記構成を詳述すると、撮像装置１００は、レンズ１０を通して撮像した画像データを、撮像装置１００に内蔵する不図示の記録媒体２００に記録し、この画像データを記録した撮像装置１００を、印刷装置（プリントサービス）８００に宅急便(登録商標)等の輸送手段を用いて送付する或いは直接店頭に持ち込むことにより、印刷装置（プリントサービス）８００において写真プリント８５０を印刷し、宅急便(登録商標)等の輸送手段を用いて或いは直接店頭で写真プリント８５０を受け取ることが可能である。
【０１５７】
ここで、印刷装置（プリントサービス）８００で何れの撮影画像データを何れのサイズ及び或いはレイアウト及び或いは枚数で印刷するかどうかをプリントオーダーファイルを用いて指定することが可能である。
【０１５８】
この場合、撮像装置１００において、撮影した画像データに対応したプリントオーダーファイルを作成し、撮像装置１００に内蔵する記録媒体２００に作成したプリントオーダーファイルを記録した状態で、この撮像装置１００を印刷装置（プリントサービス）８００に宅急便(登録商標)等の輸送手段を用いて送付する或いは直接店頭に持ち込むことにより、希望するサイズ、レイアウト、枚数で写真プリント８５０を印刷してもらうことが出来る。
【０１５９】
３００は携帯電話等の通信装置、４００は画像ゲートウェイ等の画像情報管理装置、５００は通常ユーザが使用するクライアントコンピュータ或いは携帯情報機器等の情報処理装置、６００はインターネット、６０２はインターネットと画像情報管理装置（画像ゲートウェイ）４００を接続するネットワーク、６０４はインターネットと情報処理装置（クライアントコンピュータ）５００を接続するネットワーク、６０６はインターネットと印刷装置（プリントサービス）８００を接続するネットワーク、６１０及び６２０は、インターネットに接続され、各種コンテンツ情報を格納配布するＷＷＷサーバー、７００は電話基地局等の携帯電話網を含むパケット網、７０２はパケット網７００と画像情報管理装置（画像ゲートウェイ）４００を接続するネットワークである。
【０１６０】
上記構成を詳述すると、撮像装置１００は、通信手段１１４、アンテナ１１６、アンテナ３３２、アンテナ３３０を介して、無線通信により通信装置３００と画像やコマンドの送受をすることが可能に構成されている。
【０１６１】
撮像装置１００と通信装置３００間の無線通信は、Ｂｌｕｅｔｏｏｔｈ等のスペクトラム拡散方式などにより行われている。
【０１６２】
また、通信装置３００は、通信手段３２６、アンテナ３２８、不図示の通信基地局を含むパケット網７００、ネットワーク７０２、画像情報管理装置４００、ネットワーク６０２、インターネット６００を介して、ＷＷＷサーバー６１０或いはＷＷＷサーバー６２０或いは情報処理装置５００或いは印刷装置８００等の各種ネットワーク機器と画像やコマンドの送受をすることが可能に構成されている。
【０１６３】
これにより、印刷装置（プリントサービス）８００は、撮像装置１００から、パケット網７００、ネットワーク７０２、画像情報管理装置（画像ゲートウェイ）４００、ネットワーク６０２、インターネット６００、ネットワーク６０６を介して送信された画像データを印刷し、宅配便等の物流手段により撮像装置１００の所有者に印刷した写真プリント８５０を届けることが可能である。
【０１６４】
また、情報処理装置（クライアントコンピュータ）５００は、撮像装置１００から、パケット網７００、ネットワーク７０２、画像情報管理装置（画像ゲートウェイ）４００、ネットワーク６０２、インターネット６００、ネットワーク６０４を介して送信された画像データを受け取ることが可能である。
【０１６５】
撮像装置１００は、工場４５０において製造或いは再整備され、宅配便等の物流手段により販売店９００に出荷される。
【０１６６】
ここで、工場４５０出荷時においては、撮像装置１００の各種設定は初期状態に設定され、また拡張機能プログラムのダウンロード設定は初期状態つまり拡張機能プログラムが消去された状態に設定されている。
【０１６７】
このように、販売店９００において、撮像装置１００の購入者は、常に同じ設定状態の撮像装置１００を購入することが可能である。
【０１６８】
そして、撮像装置１００は、撮影を終えた後、必要に応じて、工場４５０に直接返送され、或いは販売店９００を介して工場４５０に返送され、再整備を行った後、再び販売店９００に出荷される。
【０１６９】
図２は、本発明の実施例における撮像装置と通信装置のシステム構成を示す図である。
【０１７０】
撮像装置１００は通信手段１１４、アンテナ１１６を介して、通信装置３００は通信手段３３０、アンテナ３３２を介して、無線通信により相互にコマンド、撮影画像を含むデータを送受している。
【０１７１】
撮像装置１００と通信装置３００間の無線通信は、Ｂｌｕｅｔｏｏｔｈ等のスペクトラム拡散方式などにより行われている。
【０１７２】
撮像装置１００は識別情報（機器アドレス）５８を、通信装置３００は識別情報（機器アドレス）３５６を備え、相互に認証を行うことにより、Ｂｌｕｅｔｏｏｔｈ等のスペクトラム拡散方式などの通信方式によるコマンド、撮影画像を含むデータの通信が可能となる。
【０１７３】
なお、認証処理はパスキーと呼ばれる共通の文字列を、撮像装置１００の不図示の操作部７０と通信装置３００の操作手段３６２のそれぞれに入力し、入力されたそれらのパスキーを撮像装置１００と通信装置３００の二者間で照合することにより行われる。
【０１７４】
一度、認証が行われれば、認証された機器アドレスは、撮像装置１００の場合は登録機器情報一覧７４に通信装置３００の機器アドレスが、通信装置３００の場合は登録機器情報一覧３５８に撮像装置１００の機器アドレスが、それぞれ登録されるため、以降、毎回認証手続きを行う必要を省くことが可能である。
【０１７５】
＜撮像装置１００の構成説明＞
図３は、本発明の撮像装置１００の詳細構成を示す図である。
【０１７６】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【０１７７】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【０１７８】
２０は画像処理回路であり、Ａ／Ｄ変換器１６からのデータ或いはメモリ制御回路２２からのデータに対して所定の画素補間処理や色変換処理を行う。
【０１７９】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【０１８０】
さらに、画像処理回路２０においては、撮像した画像データを用いて所定の演算処理を行い、得られた演算結果に基づいてＴＴＬ方式のＡＷＢ（オートホワイトバランス）処理も行っている。
【０１８１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【０１８２】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【０１８３】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【０１８４】
画像表示部２８を用いて撮像した画像データを逐次表示すれば、電子ファインダ機能を実現することが可能である。
【０１８５】
また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【０１８６】
３０は撮影した静止画像や動画像を格納するためのメモリであり、所定枚数の静止画像や所定時間の動画像を格納するのに十分な記憶量を備えている。
【０１８７】
これにより、複数枚の静止画像を連続して撮影する連写撮影やパノラマ撮影の場合にも、高速かつ大量の画像書き込みをメモリ３０に対して行うことが可能となる。
【０１８８】
また、メモリ３０はシステム制御回路５０の作業領域としても使用することが可能である。
【０１８９】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【０１９０】
４０は絞り機能を備えるシャッター１２を制御する露光制御手段であり、フラッシュ４８と連携することによりフラッシュ調光機能も有するものである。
【０１９１】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【０１９２】
４８はフラッシュであり、ＡＦ補助光の投光機能、フラッシュ調光機能も有する。
【０１９３】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【０１９４】
５０は撮像装置１００全体を制御するシステム制御回路、５２はシステム制御回路５０の動作用の定数、変数、プログラム等を記憶するメモリである。
【０１９５】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【０１９６】
また、表示部５４は、その一部の機能が光学ファインダ１０４内に設置されている。
【０１９７】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、外部コンピュータとの接続状態を示す表示、等がある。
【０１９８】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【０１９９】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【０２００】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【０２０１】
５６は電気的に消去・記録可能な不揮発性メモリであり、例えばＥＥＰＲＯＭ、フラッシュメモリ等が用いられる。
【０２０２】
５８は識別情報（機器アドレス）で、通信手段１１４、アンテナ１１６を介して通信装置３００とＢｌｕｅｔｏｏｔｈ等による無線通信を行う際に、通信に先立って認証を行うための各種識別情報が格納されている。
【０２０３】
６０、６２、６４、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【０２０４】
ここで、これらの操作手段の具体的な説明を行う。
【０２０５】
６０は電源スイッチ（メインスイッチ）で、画像処理装置１００の電源オン、電源オフの各モードを切り替え設定することが出来る。また、画像処理装置１００に接続された各種付属装置の電源オン、電源オフの設定も合わせて切り替え設定することが出来る。
【０２０６】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【０２０７】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【０２０８】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り替えを設定する選択／切り替えスイッチ、撮影及び或いは再生及び或いは通信を実行する際に各種機能の決定及び実行を設定する決定／実行スイッチ等がある。
【０２０９】
なお、圧縮モードスイッチにおいては、ＪＰＥＧ（Ｊｏｉｎｔ  Ｐｈｏｔｏｇｒａｐｈｉｃ  Ｅｘｐｅｒｔ  Ｇｐｏｕｐ）圧縮の圧縮率を選択するため、或いは撮像素子の信号をそのままディジタル化して記録媒体に記録するＣＣＤＲＡＷモードを選択するためのスイッチである。
【０２１０】
ＪＰＥＧ圧縮のモードは、例えばノーマルモードとファインモードが用意されている。
【０２１１】
撮像装置１００の利用者は、撮影した画像のデータサイズを重視する場合はノーマルモードを、撮影した画像の画質を重視する場合はファインモードを、それぞれ選択して撮影を行うことが出来る。
【０２１２】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、必要に応じて暗号／復号回路３４により所定の暗号化処理を行った後、記録媒体２００に記録を行う。
【０２１３】
ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、必要に応じて暗号／復号回路３４により所定の暗号化処理を行った後、記録媒体２００に記録を行う。
【０２１４】
７２はモードダイアルスイッチで、自動撮影モード、撮影モード、パノラマ撮影モード、再生モード、マルチ画面再生・消去モード、ＰＣ接続モード等の各機能モードを切り替え設定することが出来る。
【０２１５】
なお、本実施例の説明においては、特に、撮影モード、再生モードを撮像装置１００が備える構成としている。
【０２１６】
７４は登録機器情報一覧で、通信装置３００との間の認証が成功した場合に、通信装置３００から取得した通信装置３００の識別情報（機器アドレス）を登録するデータベースである。
【０２１７】
なお、認証処理はパスキーと呼ばれる共通の文字列を、撮像装置１００の操作部７０と通信装置３００の操作手段３６２のそれぞれに入力し、入力されたそれらのパスキーを撮像装置１００と通信装置３００の二者間で照合することにより行われる。
【０２１８】
一度、認証が行われれば、認証された通信装置３００の機器アドレスは、登録機器情報一覧７４に登録されるため、通信装置３００との間で毎回認証手続きを行う必要を省くことが可能である。
【０２１９】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【０２２０】
８２はコネクタ、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源手段である。
【０２２１】
９０はメモリカードやハードディスク等の記録媒体とのインタフェース、９２はメモリカードやハードディスク等の記録媒体と接続を行うコネクタである。
【０２２２】
１０２は、撮像装置１００のレンズ１０を含む撮像部を覆う事により、撮像部の汚れや破損を防止するバリアである保護手段である。
【０２２３】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【０２２４】
１１４は通信手段で、ＴＤＭＡ（Ｔｉｍｅ  Ｄｉｖｉｓｉｏｎ  Ｍｕｌｔｉｐｌｅ  Ａｃｃｅｓｓ）方式やＣＤＭＡ（Ｃｏｄｅ  Ｄｉｖｉｓｉｏｎ  Ｍｕｌｔｉｐｌｅ  Ａｃｃｅｓｓ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式、ＰＨＳ（Ｐｅｒｓｏｎａｌ  Ｈａｎｄｙｐｈｏｎｅ  Ｓｙｓｔｅｍ）方式等の携帯電話通信機能を有する。
【０２２５】
１１６はアンテナ（或いはコネクタ）で、通信手段１１４により撮像装置１００を、パケット網７００、ネットワーク７０２を介して画像情報管理装置（画像ゲートウェイ）４００と接続する、更には、ネットワーク６０２、インターネット６００を介して他の機器と接続する際のアンテナ或いは有線通信の場合はコネクタである。
【０２２６】
２００はメモリカードやハードディスク等の記録媒体である。
【０２２７】
記録媒体２００は、半導体メモリや磁気ディスク等から構成される記録部２０２、撮像装置１００とのインタフェース２０４、撮像装置１００と接続を行うコネクタ２０６を備えている。
【０２２８】
なお、記録媒体２００は本実施例では撮像装置１００に内蔵される構成として説明している。
【０２２９】
＜通信装置３００の構成説明＞
図４は、本発明の通信装置３００の詳細構成を示す図である。
【０２３０】
３１０は音声を電気信号に変換するマイク、３１２はマイクのアナログ出力信号をディジタル信号に変換するＡ／Ｄ変換器である。
【０２３１】
３１４はメモリ制御回路であり、Ａ／Ｄ変換器３１２の出力データがメモリ制御回路３１４を介してメモリ３２０に書き込まれ、また、メモリ３２０から読み出されたデータがＤ／Ａ変換器３１６に入力される。
【０２３２】
３１６はディジタル信号をアナログ信号に変換するＤ／Ａ変換器、３１８は電気信号を音声信号に変換するスピーカーである。
【０２３３】
３２０はマイク３１０で入力した音声及び或いは撮像装置１００から送信された静止画像や動画像を格納するためのメモリであり、所定時間の音声及び或いは所定枚数の静止画像、所定時間の動画像を格納するのに十分な記憶量を備えている。
【０２３４】
３２２はメモリ３２０に格納された静止画像データや動画データをアナログ信号に変換するＤ／Ａ変換器、３２４はＤ／Ａ変換器３２２の出力画像信号を表示する画像表示手段である。
【０２３５】
３２６は通信手段で、ＴＤＭＡ、ＣＤＭＡ、Ｗ−ＣＤＭＡ等の各種遠距離無線通信機能を有する。
【０２３６】
３２８は通信手段３２６により通信装置３００を他の通信装置及び或いは通信基地局と回線接続するアンテナである。
【０２３７】
３３０は通信手段で、Ｂｌｕｅｔｏｏｔｈ等のスペクトラム拡散通信、ＩｒＤＡ等の赤外線通信、等の各種近距離高速データ通信機能を有する。
【０２３８】
３３２は通信手段３３０により通信装置３００を他の機器と接続するアンテナである。
【０２３９】
３５０は通信装置３００全体を制御する通信システム制御回路、３５２は通信システム制御回路３５０の動作用の定数、変数、プログラム等を記憶するメモリである。
【０２４０】
３５４は電気的に消去・記録可能な不揮発性メモリであり、例えばＥＥＰＲＯＭ等が用いられる。
【０２４１】
３５６は識別情報（機器アドレス）で、通信手段３３０、アンテナ３３２を介して撮像装置１００とＢｌｕｅｔｏｏｔｈ等による無線通信を行う際に、通信に先立って認証を行うための各種識別情報が格納されている。
【０２４２】
また、識別情報（機器アドレス）３５６は、通信手段３２６、アンテナ３２８、パケット網７００、ネットワーク７０２を介して画像情報管理装置（画像ゲートウェイ）４００と通信を行う際に認証を行うため及び或いは撮影画像データの格納／取り出しを行う際に課金管理を行うための各種識別情報が格納されている。
【０２４３】
これらの識別情報は、画像情報管理装置（画像ゲートウェイ）４００において、通信装置３００に対して各種サービスを行う際の課金情報データベースを更新する際に用いられる。
【０２４４】
３５８は登録機器情報一覧で、撮像装置１００との間の認証が成功した場合に、撮像装置１００から取得した撮像装置１００の識別情報（機器アドレス）を登録するデータベースである。
【０２４５】
なお、認証処理はパスキーと呼ばれる共通の文字列を、撮像装置１００の操作部７０と通信装置３００の操作手段３６２のそれぞれに入力し、入力されたそれらのパスキーを撮像装置１００と通信装置３００の二者間で照合することにより行われる。
【０２４６】
一度、認証が行われれば、認証された撮像装置１００の機器アドレスは、登録機器情報一覧３７０に登録されるため、撮像装置１００との間で毎回認証手続きを行う必要を省くことが可能である。
【０２４７】
３６０は通信システム制御回路３５０でのプログラムの実行に応じて、文字、画像、音声等を用いて動作状態やメッセージ等を表示する液晶表示装置、スピーカー等の表示手段であり、通信装置３００の操作手段近辺の視認し易い位置に単数或いは複数個所設置され、例えばＬＣＤやＬＥＤ、発音素子等の組み合わせにより構成されている。
【０２４８】
３６２は通信システム制御回路３５０の各種の動作指示を入力するための操作手段であり、スイッチやダイアル、タッチパネル、視線検知によるポインティング、音声認識装置等の単数或いは複数の組み合わせで構成される。
【０２４９】
操作手段３６２によれば、通信装置３００の電源オン／オフ、通話の実行（オフフック）／停止（オンフック）、電話番号入力、電話番号検索、通信モード切り替え、等の操作を行うことが出来る。
【０２５０】
３６４は着信通知手段で、他の通信装置や通信基地局から通話の着信があった場合に、呼出し音、発声音、音楽等の音声及び或いはアイコン、動画、静止画、発光等の画像及び或いはアイコン、動画、静止画、発光等の画像によって通知を行うものである。
【０２５１】
３８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及び通信システム制御回路３５０の指示に基づいてＤＣ−ＤＣコンバータを制御し、必要な電圧を必要な期間、記録媒体を含む各部へ供給する。
【０２５２】
３８２はコネクタ、３８４はコネクタ、３８６はアルカリ電池やリチウム電池等の一次電池やＮｉＣｄ電池やＮｉＭＨ電池、Ｌｉ−ｉｏｎ電池、Ｌｉポリマー等の二次電池、ＡＣアダプター等からなる電源手段である。
【０２５３】
＜撮像装置１００の動作説明＞
図５乃至図１０を参照して、本発明における撮像装置１００の実施例の動作を説明する。
【０２５４】
図５は本発明の実施例における撮像装置１００の主ルーチンのフローチャートを示す。
【０２５５】
図５を用いて、撮像装置１００の動作を説明する。
【０２５６】
電池交換等の電源投入により、システム制御回路５０はフラグや制御変数等を初期化すると共に、撮像装置１００各部の初期化処理を行う（Ｓ１００１）。
【０２５７】
システム制御回路５０は、電源スイッチ６０の設定位置を判断し、電源スイッチ６０が電源ＯＦＦに設定されていたならば（Ｓ１００２）、Ｓ１００３に進む。
【０２５８】
電源スイッチ６０が電源ＯＮに設定されていたならば（Ｓ１００２）、Ｓ１００４に進む。
【０２５９】
システム制御回路５０は、電源制御手段８０により電池等により構成される電源８６の残容量や動作情況が撮像装置１００の動作に問題があるか否かを判断し（Ｓ１００４）、問題があるならば表示部５４及び或いは画像表示部２８を用いて画像や音声により所定の警告表示を行った後に（Ｓ１００５）、Ｓ１００３に進む。
【０２６０】
電源８６に問題が無いならば（Ｓ１００４）、Ｓ１００６に進む。
【０２６１】
システム制御回路５０は、各表示部の表示を終了状態に変更し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１００３）、Ｓ１００２に戻る。
【０２６２】
システム制御回路５０は、表示部５４を用いて画像や音声により撮像装置１００の各種設定状態の表示を行う。なお、画像表示部２８の画像表示がＯＮであったならば、画像表示部２８も用いて画像や音声により撮像装置１００の各種設定状態の表示を行う（Ｓ１００６）。
【０２６３】
操作部７０に含まれるメニューボタン、選択ボタン、セットボタン等により認証処理実行が選択されなかったならば（Ｓ１００７）、Ｓ１００９に進む。
【０２６４】
操作部７０に含まれるメニューボタン、選択ボタン、セットボタン等により認証処理実行が選択されたならば（Ｓ１００７）、システム制御回路５０は、被探索側認証処理を実行し（Ｓ１００８）、処理を終えたならばＳ１００９に進む。
【０２６５】
この被探索側認証処理Ｓ１００８の詳細は図６を用いて後述する。
【０２６６】
なお、メニューで選択する「認証処理実行」の具体的な名称例としては、「Ｂｌｕｅｔｏｏｔｈ設定メニュー」などがある。
【０２６７】
システム制御回路５０は、モードダイアル７２の設定位置を判断し、撮影モードに設定されていたならば（Ｓ１００９）、撮影モード処理を実行し（Ｓ１０１０）、処理を終えたならばＳ１００２に戻る。
【０２６８】
この撮影モード処理Ｓ１０１０の詳細は図７を用いて後述する。
【０２６９】
システム制御回路５０は、モードダイアル７２の設定位置を判断し、モードダイアル７２が再生モードに設定されていたならば（Ｓ１００９）、再生モード処理を実行し（Ｓ１０１１）、処理を終えたならばＳ１００２に戻る。
【０２７０】
この再生モード処理Ｓ１０１１の詳細は図１０を用いて後述する。
【０２７１】
図６は、図５のＳ１００８における被探索側認証処理の詳細なフローチャートを示す。
【０２７２】
システム制御回路５０は、操作部７０に含まれるメニューボタン、選択ボタン、セットボタン等により探索受付モードが選択されなかったならば（Ｓ１５０１）、被探索側認証処理ルーチンＳ１００８を終了する。
【０２７３】
操作部７０に含まれるメニューボタン、選択ボタン、セットボタン等により探索受付モードが選択されたならば（Ｓ１５０１）、システム制御回路５０は、通信手段１１４、アンテナ１１６を介して、撮像装置１００の通信範囲に存在する、通信装置などの他の通信機器から撮像装置１００に対して探索が行われているかどうかを判断する（Ｓ１５０２）。
【０２７４】
通信装置などの他の通信機器から撮像装置１００に対して探索が行われていなかったならば（Ｓ１５０２）、Ｓ１５１４に進む。
【０２７５】
通信装置などの他の通信機器から撮像装置１００に対して探索が行われていたならば（Ｓ１５０２）、システム制御回路５０は、通信手段３３０、アンテナ３３２、アンテナ１１６、通信手段１１４を介して、通信装置３００から相手側の機器アドレス、つまり通信装置３００の機器アドレスを受信し、システム制御回路５０の内部メモリ及び或いはメモリ５２に記憶して（Ｓ１５０３）、Ｓ１５０３に進む。
【０２７６】
引続き、システム制御回路５０は、通信手段１１４、アンテナ１１６、アンテナ３３２、通信手段３３０を介して、自分側の機器アドレス、つまり撮像装置１００の機器アドレスを通信装置３００に返答し（Ｓ１５０４）、Ｓ１５０５に進む。
【０２７７】
システム制御回路５０は、通信手段３３０、アンテナ３３２、アンテナ１１６、通信手段１１４を介して、通信装置３００から暗号化されたパスキーを受信したかどうかを判断する（Ｓ１５０５）。
【０２７８】
通信装置３００からパスキーを受信しなかったならば（Ｓ１５０５）、Ｓ１５１４に進む。
【０２７９】
通信装置３００からパスキーを受信したならば（Ｓ１５０５）、システム制御回路５０は、受信したパスキーを復号し、システム制御回路５０の内部メモリ及び或いはメモリ５２に記憶して（Ｓ１５０６）、Ｓ１５０７に進む。
【０２８０】
システム制御回路５０は、画像表示部２８及び或いは表示手段５４により、ステップＳ１５０３において受信した相手側の機器アドレス、つまり通信装置３００の機器アドレスを表示し（Ｓ１５０７）、パスキーの入力を要求する画像や音声による表示を行って（Ｓ１５０８）、Ｓ１５０９に進む。
【０２８１】
操作部７０によるパスキーの入力が無かったならば（Ｓ１５０９）、Ｓ１５１４に進む。
【０２８２】
操作部７０によるパスキーの入力が有ったならば（Ｓ１５０９）、システム制御回路５０は、相手側と自分側のパスキー、つまりステップＳ１５０５乃至Ｓ１５０６で受信して復号化した通信装置３００から送信されたパスキーとステップＳ１５０９で撮像装置１００に入力されたパスキーを照合して（Ｓ１５１０）、Ｓ１５１１に進む。
【０２８３】
パスキーの照合結果が正しくなかったならば（Ｓ１５１１）、Ｓ１５１４に進む。
【０２８４】
パスキーの照合結果が正しかったならば（Ｓ１５１１）、システム制御回路５０は、相手側の機器、つまり通信装置３００に対して、通信手段１１４、アンテナ１１６、アンテナ３３２、通信手段３３０を介して、認証済の回答を通知し（Ｓ１５１２）、登録機器情報一覧７４に相手側の機器アドレス、つまり通信装置３００の機器アドレスを登録して（Ｓ１５１３）、被探索側認証処理ルーチンＳ１００８を終了する。
【０２８５】
システム制御回路５０は、表示部５４及び或いは画像表示部２８を用いて画像や音声により所定の警告表示を行った後に（Ｓ１５１４）、被探索側認証処理ルーチンＳ１００８を終了する。
【０２８６】
図７は、図５のＳ１０１０における撮影モード処理の詳細なフローチャートを示す。
【０２８７】
システム制御回路５０は、操作部７０が備える各種スイッチの操作により、ユーザによって撮影に関する各種設定の変更が行われたならば（Ｓ１１０１）、変更された内容に応じて、撮影に関する動作設定を変更する（Ｓ１１０２）。
【０２８８】
システム制御回路５０は、シャッタースイッチＳＷ１が押されていないならば（Ｓ１１０３）、撮影モード処理ルーチンＳ１０１０を終了する。
【０２８９】
シャッタースイッチＳＷ１が押されたならば（Ｓ１１０３）、システム制御回路５０は、新たな撮影を行うために記録媒体２００の記録可能残容量が十分かどうかを判断する（Ｓ１１０４）。
【０２９０】
新たな撮影を行うために記録媒体２００の記録可能残容量が十分であると判断したならば（Ｓ１１０４）、Ｓ１１０９に進む。
【０２９１】
新たな撮影を行うためには記録媒体２００の記録可能残容量が不足すると判断したならば（Ｓ１１０４）、Ｓ１１０５に進む。
【０２９２】
システム制御回路５０は、登録機器情報一覧７４での通信装置３００の機器アドレスの登録状況を確認し（Ｓ１１０５）、Ｓ１１０６に進む。
【０２９３】
登録機器情報一覧７４に通信装置３００の機器アドレスが登録されていない、つまり、まだ通信装置３００の機器アドレスが認証済でないならば（Ｓ１１０６）、Ｓ１１０８に進む。
【０２９４】
登録機器情報一覧７４に通信装置３００の機器アドレスが登録されている、つまり、既に通信装置３００の機器アドレスが認証済であるならば（Ｓ１１０６）、システム制御回路５０は、通信手段１１４、アンテナ１１６を介して、通信装置３００に撮像装置１００の機器アドレス削除許可を通知して（Ｓ１１０７）、Ｓ１１０８に進む。
【０２９５】
このように、新たな撮影を行うには記録媒体２００の記録可能残容量が不足する場合に、撮像装置１００が通信装置３００を既に認証済みであるならば、撮像装置１００から通信装置３００に撮像装置１００の機器アドレス削除許可を通知して、ステップＳ１１０８の警告処理を実行することが可能となる。
【０２９６】
システム制御回路５０は、表示部５４及び或いは画像表示部２８を用いて画像や音声により所定の警告表示を行った後に（Ｓ１１０８）、撮影モード処理ルーチンＳ１０１０を終了する。
【０２９７】
システム制御回路５０は、測距処理を行って撮影レンズ１０の焦点を被写体に合わせ、測光処理を行って絞り値及びシャッター時間を決定する（Ｓ１１０９）。測光処理に於いて、必要であればフラッシュの設定も行う。
【０２９８】
この測距・測光処理Ｓ１１０９の詳細は図８を用いて後述する。
【０２９９】
シャッタースイッチＳＷ２が押されずに（Ｓ１１１０）、さらにシャッタースイッチＳＷ１も解除されたならば（Ｓ１１１１）、撮影モード処理ルーチンＳ１０１０を終了する。
【０３００】
シャッタースイッチＳＷ２が押されたならば（Ｓ１１１０）、システム制御回路５０は、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１１１２）。
【０３０１】
この撮影処理Ｓ１１１２の詳細は図９を用いて後述する。
【０３０２】
撮影処理Ｓ１１１２を終えたならば、システム制御回路５０は、メモリ３０に書き込まれた撮影画像データを読み出して、メモリ制御回路２２そして必要に応じて画像処理回路２０を用いて所定の画素補間処理や色変換処理等の現像処理を行い、現像処理を行った画像データをメモリ３０の所定領域に格納して（Ｓ１１１３）、Ｓ１１１４に進む。
【０３０３】
システム制御回路５０は、メモリ３０の所定領域に格納された画像データを読み出し、圧縮・伸長回路３２を用いて、設定したモードに応じた画像圧縮処理を行う圧縮処理を行った後、圧縮処理を行った画像データをメモリ３０の所定領域に格納して（Ｓ１１１４）、Ｓ１１１５に進む。
【０３０４】
システム制御回路５０は、暗号化の必要に応じて、メモリ３０の所定領域に格納された圧縮処理を行った画像データを読み出し、暗号／復号回路３４を用いて所定の暗号化処理を行い（Ｓ１１１５）、識別情報を付加して（Ｓ１１１６）、処理を行った画像データをメモリ３０の所定領域に格納して、Ｓ１１１７に進む。
【０３０５】
システム制御回路５０は、メモリ３０に書き込まれた圧縮画像データを読み出して、インタフェース９０或いは９４、コネクタ９２或いは９６を介して、メモリカードやコンパクトフラッシュ（登録商標）カード等の記録媒体２００或いは２１０に記録を行う（Ｓ１１１７）。
【０３０６】
シャッタースイッチＳＷ１が放されたならば（Ｓ１１１８）、システム制御回路５０は、一連の撮影動作を終えて、撮影モード処理ルーチンＳ１０１０を終了する。
【０３０７】
シャッタースイッチＳＷ１が押されたままであったならば（Ｓ１１１８）、システム制御回路５０は、操作部７０に含まれる連写／単写スイッチの設定状態を判断する（Ｓ１１１９）。
【０３０８】
連写／単写スイッチの設定状態が単写の設定であったならば（Ｓ１１１９）、Ｓ１１１８に戻る。
【０３０９】
連写／単写スイッチの設定状態が連写の設定であったならば（Ｓ１１１９）、Ｓ１１０４に戻り、一連の撮影動作を繰り返す。
【０３１０】
図８は、図７のＳ１１０９における測距・測光処理の詳細なフローチャートを示す。
【０３１１】
システム制御回路５０は、撮像素子１４から電荷信号を読み出し、Ａ／Ｄ変換器１６を介して画像処理回路２０に撮影画像データを逐次読み込む（Ｓ１２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０３１２】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０３１３】
画像処理回路２０での演算結果を用いて、システム制御回路５０は露出（ＡＥ）が適正と判断されるまで（Ｓ１２０２）、露光制御手段４０を用いてＡＥ制御を行う（Ｓ１２０３）。
【０３１４】
ＡＥ制御で得られた測定データを用いて、システム制御回路５０はフラッシュが必要か否かを判断し（Ｓ１２０４）、フラッシュが必要ならばフラッシュ・フラグをセットし、フラッシュ４８を充電する（Ｓ１２０５）。
【０３１５】
露出（ＡＥ）が適正と判断したならば（Ｓ１２０２）、測定データ及び或いは設定パラメータをシステム制御回路５０の内部メモリ或いはメモリ５２に記憶する。
【０３１６】
画像処理回路２０での演算結果及びＡＥ制御で得られた測定データを用いて、システム制御回路５０はホワイトバランス（ＡＷＢ）が適正と判断されるまで（Ｓ１２０６）、画像処理回路２０を用いて色処理のパラメータを調節してＡＷＢ制御を行う（Ｓ１２０７）。
【０３１７】
ホワイトバランス（ＡＷＢ）が適正と判断したならば（Ｓ１２０６）、測定データ及び或いは設定パラメータをシステム制御回路５０の内部メモリ或いはメモリ５２に記憶する。
【０３１８】
ＡＥ制御及びＡＷＢ制御で得られた測定データを用いて、システム制御回路５０は測距（ＡＦ）が合焦と判断されるまで（Ｓ１２０８）、測距制御手段４２を用いてＡＦ制御を行う（Ｓ１２０９）。
【０３１９】
測距（ＡＦ）が合焦と判断したならば（Ｓ１２０８）、測定データ及び或いは設定パラメータをシステム制御回路５０の内部メモリ或いはメモリ５２に記憶し、測距・測光処理ルーチンＳ１１０９を終了する。
【０３２０】
図９は、図７のＳ１１１２における撮影処理の詳細なフローチャートを示す。
【０３２１】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ１３０１、Ｓ１３０２）。
【０３２２】
フラッシュ・フラグによりフラッシュ４８が必要か否かを判断し（Ｓ１３０３）、必要な場合はフラッシュを発光させる（Ｓ１３０４）。
【０３２３】
システム制御回路５０は、測光データに従って撮像素子１４の露光終了を待ち（Ｓ１３０５）、シャッター１２を閉じて（Ｓ１３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ１３０７）。
【０３２４】
一連の処理を終えたならば、撮影処理ルーチンＳ１１１２を終了する。
【０３２５】
図１０は、図５のＳ１０１１における再生モード処理の詳細なフローチャートを示す。
【０３２６】
システム制御回路５０は、選択した画像データをメモリ３０の所定領域から或いは記録媒体２００からメモリ３０の所定領域に格納してから読込み（Ｓ１４０１）、圧縮／伸張回路３２によって所定の伸張処理を行った後（Ｓ１４０２）、メモリ制御回路２２、そして必要に応じて画像処理回路２０を用いて所定の画像処理を行い、メモリ制御回路２２、Ｄ／Ａ変換器２６を介して、画像表示部２８により再生表示を行って（Ｓ１４０３）、Ｓ１４０４に進む。
【０３２７】
システム制御回路５０は、操作部７０に含まれるメニューボタン、選択ボタン、セットボタン等によりプリントオーダー処理が設定されていなかったならば（Ｓ１４０４）、Ｓ１４０６に進む。
【０３２８】
操作部７０に含まれるメニューボタン、選択ボタン、セットボタン等によりプリントオーダー処理が設定されたならば（Ｓ１４０４）、設定されたプリントオーダーをシステム制御回路５０の内部メモリ及び或いはメモリ５２に記憶し（Ｓ１４０５）、Ｓ１４０６に進む。
【０３２９】
操作部７０に含まれるスイッチの操作により、次の画像を再生する設定が行われたならば（Ｓ１４０６）、Ｓ１４０１に戻る。
【０３３０】
次の画像を再生する設定が行われなかったならば（Ｓ１４０６）、Ｓ１４０７に進む。
【０３３１】
システム制御回路５０は、モードダイアル７２の設定位置を判断し、再生モードが終了されていたならば（Ｓ１４０７）、Ｓ１４０８に進む。
【０３３２】
再生モードが終了されていなかったならば（Ｓ１４０７）、Ｓ１４０４に戻る。
【０３３３】
ステップＳ１４０５において、何れかの単数或いは複数の撮影画像データに関するプリントオーダーが設定されていなかったならば（Ｓ１４０８）、再生モード処理ルーチンＳ１０１１を終了する。
【０３３４】
ステップＳ１４０５において、何れかの単数或いは複数の撮影画像データに関するプリントオーダーが設定されていたならば（Ｓ１４０８）、Ｓ１４０９に進む。
【０３３５】
システム制御回路５０は、プリントオーダーファイルを記録して（Ｓ１４０９）、Ｓ１４１０に進む。
【０３３６】
システム制御回路５０は、登録機器情報一覧７４での通信装置３００の機器アドレスの登録状況を確認し（Ｓ１４１０）、Ｓ１４１１に進む。
【０３３７】
登録機器情報一覧７４に通信装置３００の機器アドレスが登録されていない、つまり、まだ通信装置３００の機器アドレスが認証済でないならば（Ｓ１４１１）、再生モード処理ルーチンＳ１０１１を終了する。
【０３３８】
登録機器情報一覧７４に通信装置３００の機器アドレスが登録されている、つまり、既に通信装置３００の機器アドレスが認証済であるならば（Ｓ１４１１）、システム制御回路５０は、通信手段１１４、アンテナ１１６を介して、通信装置３００に撮像装置１００の機器アドレス削除許可を通知して（Ｓ１４１２）、再生モード処理ルーチンＳ１０１１を終了する。
【０３３９】
このように、プリントオーダーファイルを設定記録する場合に、撮像装置１００が通信装置３００を既に認証済みであるならば、撮像装置１００から通信装置３００に撮像装置１００の機器アドレス削除許可を通知することが可能となる。
【０３４０】
＜通信装置３００の動作説明＞
図１１乃至図１３を参照して、本発明における通信装置３００の実施例の動作を説明する。
【０３４１】
図１１乃至図１３は第１の実施例における通信装置３００の主ルーチンのフローチャートを示す。
【０３４２】
図１１乃至図１３を用いて、通信装置３００の動作を説明する。
【０３４３】
電池交換等の電源投入により、通信システム制御回路３５０はフラグや制御変数等を初期化する（Ｓ３００１）。
【０３４４】
通信システム制御回路３５０は、操作手段３６２に含まれる電源スイッチの設定状態を判断し、電源スイッチが電源ＯＦＦに設定されていたならば（Ｓ３００２）、Ｓ３００３に進む。
【０３４５】
操作手段３６２に含まれる電源スイッチが電源ＯＮに設定されていたならば（Ｓ３００２）、通信システム制御回路３５０は、電源制御手段３８０により電池等により構成される電源３８６の残容量や動作情況が通信装置３００の動作に問題があるか否かを判断する（Ｓ３００４）。
【０３４６】
電源３８６の残容量が通信装置３００の動作を継続するには問題がある場合は（Ｓ３００４）、通信システム制御回路３５０は、表示手段３６０を用いて画像や音声により所定の警告表示を行った後に（Ｓ３００５）、Ｓ３００３に進む。
【０３４７】
電源３８６の残容量が通信装置３００の動作を継続するのに問題が無い場合は（Ｓ３００４）、Ｓ３００６に進む。
【０３４８】
通信システム制御回路３５０は、各表示手段の表示を終了状態に変更し、フラグや制御変数等を含む必要なパラメータや設定値、設定モードを不揮発性メモリ３５４に記録し、電源制御手段３８０により画像表示手段３２４を含む通信装置３００各部の不要な電源を遮断する等の所定の終了処理を行った後（Ｓ３００３）、Ｓ３００２に戻る。
【０３４９】
通信システム制御回路３５０は、表示手段３６０を用いて画像や音声により電池残容量の状態を含む通信装置３００の各種設定状態の表示を行った後（Ｓ３００６）、他の通信装置或いは通信基地局からの着信呼出しを待つ待ち受け状態で待機する（Ｓ３００７）。
【０３５０】
操作手段３６２に含まれるメニューボタン、選択ボタン、セットボタン等により認証処理実行が選択されたならば（Ｓ３００８）、通信システム制御回路３５０は、探索側認証処理を実行し（Ｓ３００９）、処理を終えたならばＳ３０１０に進む。
【０３５１】
この探索側認証処理Ｓ３０１０の詳細は図１３を用いて後述する。
【０３５２】
なお、メニューで選択する「認証処理実行」の具体的な名称例としては、「Ｂｌｕｅｔｏｏｔｈ設定メニュー」などがある。
【０３５３】
通信システム制御回路３５０は、登録機器情報一覧３５８での撮像装置１００の機器アドレスの登録状況を確認し（Ｓ３０１０）、Ｓ３０１１に進む。
【０３５４】
登録機器情報一覧３５８に撮像装置１００の機器アドレスが登録されていない、つまり、まだ撮像装置１００の機器アドレスが認証済でないならば（Ｓ３０１１）、Ｓ３０２１に進む。
【０３５５】
登録機器情報一覧７４に撮像装置１００の機器アドレスが登録されている、つまり、既に撮像装置１００の機器アドレスが認証済であるならば（Ｓ３０１１）、通信システム制御回路３５０は、撮像装置１００に機器種別を問合せ（Ｓ３０１２）、Ｓ３０１３に進む。
【０３５６】
撮像装置１００の機器種別が回収型カメラで無かったならば（Ｓ３０１３）、Ｓ３０２１に進む。
【０３５７】
撮像装置１００の機器種別が回収型カメラだったならば（Ｓ３０１３）、通信システム制御回路３５０は、撮像装置１００の機器種別フラグを回収型カメラに設定して、通信システム制御回路３５０の内部メモリ及び或いはメモリ３５２に記憶し（Ｓ３０１４）、Ｓ３０２１に進む。
【０３５８】
通信システム制御回路３５０は、撮像装置１００から、通信手段１１４、アンテナ１１６、アンテナ３３２、通信手段３３０を介して、コマンドやデータを受信しなかったならば（Ｓ３０２１）、Ｓ３０４１に進む。
【０３５９】
通信システム制御回路３５０は、撮像装置１００から、通信手段１１４、アンテナ１１６、アンテナ３３２、通信手段３３０を介して、コマンドやデータを受信したならば（Ｓ３０２１）、Ｓ３０２２に進む。
【０３６０】
通信システム制御回路３５０は、登録機器情報一覧３５８での撮像装置１００の機器アドレスの登録状況を確認し（Ｓ３０２２）、Ｓ３０２３に進む。
【０３６１】
登録機器情報一覧３５８に撮像装置１００の機器アドレスが登録されていない、つまり、まだ撮像装置１００の機器アドレスが認証済でないならば（Ｓ３０２３）、Ｓ３０４１に進む。
【０３６２】
登録機器情報一覧３５８に撮像装置１００の機器アドレスが登録されている、つまり、既に撮像装置１００の機器アドレスが認証済であるならば（Ｓ３０２３）、通信システム制御回路３５０は、通信手段１１４、アンテナ１１６、アンテナ３３２、通信手段３３０を介して、撮像装置１００からの通知を受信して、通信システム制御回路３５０の内部メモリ及び或いはメモリ３５２に記憶し（Ｓ３０２４）、Ｓ３０２５に進む。
【０３６３】
撮像装置１００から受信した通知が機器アドレス削除許可通知でなかったならば（Ｓ３０２５）、Ｓ３０４１に進む。
【０３６４】
撮像装置１００から受信した通知が機器アドレス削除許可通知であったならば（Ｓ３０２５）、通信システム制御回路３５０は、通信システム制御回路３５０の内部メモリ及び或いはメモリ３５２に記憶する機器種別フラグの設定状態を判断する（Ｓ３０２６）。
【０３６５】
機器種別フラグの設定状態が回収型カメラではなく、その他の機器種別であったならば（Ｓ３０２６）、Ｓ３０４１に進む。
【０３６６】
機器種別フラグの設定状態が回収型カメラであったならば（Ｓ３０２６）、Ｓ３０２７に進む。
【０３６７】
通信システム制御回路３５０は、登録機器情報一覧３５８から撮像装置１００の機器アドレスを削除するか否かを表示手段３６０により通信装置３００の使用者に問合せる（Ｓ３０２７）。
【０３６８】
操作手段３６２により、登録機器情報一覧３５８から撮像装置１００の機器アドレスを削除しない入力があったならば（Ｓ３０２７）、Ｓ３０４１に進む。
【０３６９】
操作手段３６２により、登録機器情報一覧３５８から撮像装置１００の機器アドレスを削除する入力があったならば（Ｓ３０２７）、通信システム制御回路３５０は、登録機器情報一覧３５８から撮像装置１００の機器アドレスを削除して（Ｓ３０２８）、Ｓ３０４１に進む。
【０３７０】
このように、撮像装置１００から通信装置３００に対して、撮像装置１００の機器アドレス削除許可の通知があり、そして、撮像装置１００の機種種別が回収型カメラであったならば、登録機器情報一覧３５８から撮像装置１００の機器アドレスを削除することが可能となる。
【０３７１】
これにより、回収型カメラである撮像装置１００を販売店９００で新たに購入して撮影を行い、撮影を終えて印刷装置（プリントサービス）８００に撮像装置１００を渡すことを繰り返した場合に、登録機器情報一覧３５８に不要となった撮像装置１００の機器アドレスが登録されて残ったままとなり、この場合、認証の必要なく通信装置３００に接続可能なままであり、不正アクセスの恐れがあるという問題を防止することが可能となる。
【０３７２】
また、登録機器情報一覧３５８から撮像装置１００の機器アドレスを削除する際に、通信装置３００の使用者に確認した後に削除することにより、撮像装置１００の機器アドレス削除をまだ希望しないにも係らず削除してしまうことを防止することが可能となる。
【０３７３】
通信システム制御回路３５０は、他の通信装置或いは通信基地局から、アンテナ３２８、通信手段３２６を介して着信呼出しがあるかどうかを判断する（Ｓ３０４１）。
【０３７４】
他の通信装置或いは通信基地局から着信呼出しが無いならば（Ｓ３０４１）、Ｓ３０４２に進む。
【０３７５】
他の通信装置或いは通信基地局から着信呼出しがあるならば（Ｓ３０４１）、Ｓ３０４７に進む。
【０３７６】
通信システム制御回路３５０は、操作手段３６２に含まれるオフフック（通話開始）スイッチが設定されないならば（Ｓ３０４２）、Ｓ３００２に戻る。
【０３７７】
操作手段３６２に含まれるオフフック（通話開始）スイッチが設定され（Ｓ３０４２）、操作手段３６２によって発信呼出しの設定が行われたならば（Ｓ３０４３）、通信システム制御回路３５０は、設定された電話番号に応じた発信呼出しを他の通信装置或いは通信基地局に対して行う（Ｓ３０４４）。
【０３７８】
他の通信装置或いは通信基地局との回線が接続されない間（Ｓ３０４５）、操作手段３６２に含まれるオンフック（通話打ち切り）スイッチが設定されるまで（Ｓ３０４６）、通信システム制御回路３５０は、Ｓ３０４４に戻って一連の処理を繰り返す。
【０３７９】
他の通信装置或いは通信基地局との回線が接続されたならば（Ｓ３０４５）、Ｓ３０５３に進む。
【０３８０】
通信システム制御回路３５０は、着信通知手段３６４による呼出し音や振動等を用いた通信装置３００の使用者への着信通知を開始した後（Ｓ３０４７）、Ｓ３０４８に進む。
【０３８１】
操作手段３６２に含まれるオフフック（通話開始）スイッチが設定されないならば（Ｓ３０４８）、通信システム制御回路３５０は、他の通信装置或いは通信基地局からの着信呼出しが終了したかどうかを判断し（Ｓ３０４９）、着信呼出しが終了していたならば、着信通知手段３６４による呼出し音や振動等を用いた通信装置３００の使用者への着信通知を終了し（Ｓ３０５０）、Ｓ３００２に戻る。
【０３８２】
着信呼出しが終了していないならば（Ｓ３０４９）、Ｓ３０４８に戻る。
【０３８３】
操作手段３６２に含まれるオフフック（通話開始）スイッチが設定されたならば（Ｓ３０４８）、通信システム制御回路３５０は、着信通知手段３６４による呼出し音や振動等を用いた通信装置３００の使用者への着信通知を終了して（Ｓ３０５１）、アンテナ３２８、通信手段３２６を介して、通信装置３００に対して着信呼出しを行った他の通信装置或いは通信基地局を介した他の通信装置との回線を接続し（Ｓ３０５２）、他の通信装置或いは通信基地局を介した他の通信装置との通話動作を行う（Ｓ３０５３）。
【０３８４】
通話動作に於いては、他の通信装置或いは通信基地局を介した他の通信装置から、アンテナ３２８、通信手段３２６を介して受信した音声データをメモリ３２０に記憶し、メモリ３２０から読み出した音声データをメモリ制御回路３１４によって所定の復号処理や音声処理を施した後に、Ｄ／Ａ変換器３１６を介してスピーカー３１８で音声信号に変換して伝えることが出来る。
【０３８５】
また、発声した音声をマイク３１０、Ａ／Ｄ変換器３１２を介してメモリ制御回路３１４で所定の音声処理や符号化を施してメモリ３２０に記憶し、メモリ３２０から読み出した音声データを通信手段３２６、アンテナ３２８を介して他の通信装置或いは通信基地局を介した他の通信装置に送信するが出来る。
【０３８６】
他の通信装置或いは通信基地局を介した他の通信装置からの通話が終了した（Ｓ３０５４）、或いは通話が終了していなくても（Ｓ３０５４）、操作手段３６２に含まれるオンフック（通話打ち切り）スイッチが設定されたならば（Ｓ３０５５）、通信システム制御回路３５０は、通話を行っていた他の通信装置或いは通信基地局を介した他の通信装置との回線を切断し（Ｓ３０５６）、Ｓ３００２に戻る。
【０３８７】
図１４は、図１１のＳ３００９における探索側認証処理の詳細なフローチャートを示す。
【０３８８】
通信システム制御回路３５０は、操作手段３６２に含まれるメニューボタン、選択ボタン、セットボタン等により探索モードが選択されなかったならば（Ｓ３１０１）、探索側認証処理ルーチンＳ３００９を終了する。
【０３８９】
操作手段３６２に含まれるメニューボタン、選択ボタン、セットボタン等により探索モードが選択されたならば（Ｓ３１０１）、通信システム制御回路３５０は、通信手段３３０、アンテナ３３２を介して、通信装置３００の通信範囲に存在する、撮像装置などの他の通信機器の探索を行い（Ｓ３１０２）、Ｓ３１０３に進む。
【０３９０】
撮像装置１００から、通信手段１１４、アンテナ１１６、アンテナ３３２、通信手段３３０を介して、ステップＳ３１０２の探索処理に関する返答が無かったならば（Ｓ３１０３）、Ｓ３１１１に進む。
【０３９１】
撮像装置１００から、ステップＳ３１０２の探索処理に関する返答が有ったならば（Ｓ３１０３）、通信システム制御回路３５０は、通信手段１１４、アンテナ１１６、アンテナ３３２、通信手段３３０を介して、撮像装置１００から相手側の機器アドレス、つまり撮像装置１００の機器アドレスを受信し、通信システム制御回路３５０の内部メモリ及び或いはメモリ３５２に記憶して（Ｓ３１０４）、Ｓ３１０５に進む。
【０３９２】
通信システム制御回路３５０は、表示手段３６０によりパスキーの入力を要求する画像及び或いは音声による表示を行い（Ｓ３１０５）、Ｓ３１０６に進む。
【０３９３】
操作手段３６２によるパスキーの入力が無かったならば（Ｓ３１０６）、Ｓ３１１１に進む。
【０３９４】
操作手段３６２によるパスキーの入力が有ったならば（Ｓ３１０６）、通信システム制御回路３５０は、入力されたパスキーに対して所定の暗号化を行い（Ｓ３１０７）、通信手段３３０、アンテナ３３２、アンテナ１１６、通信手段１１４を介して、撮像装置１００に暗号化したパスキーを送信し（Ｓ３１０８）、Ｓ３１０９に進む。
【０３９５】
ステップＳ３１０８のパスキー送信処理に関する撮像装置１００からの認証済回答が無かったならば（Ｓ３１０９）、Ｓ３１１１に進む。
【０３９６】
ステップＳ３１０８のパスキー送信処理に関する撮像装置１００からの認証済回答が有ったならば（Ｓ３１０９）、通信システム制御回路３５０は、登録機器情報一覧３５８の所定領域に撮像装置１００の機器アドレスを登録して（Ｓ３１１０）、探索側認証処理ルーチンＳ３００９を終了する。
【０３９７】
通信システム制御回路３５０は、表示手段３６０を用いて画像や音声により所定の警告表示を行った後に（Ｓ３１１１）、探索側認証処理ルーチンＳ３００９を終了する。
【０３９８】
以上のように、本発明の第１の実施例によれば、新たな撮影を行うには記録媒体２００の記録可能残容量が不足する場合に、撮像装置１００が通信装置３００を既に認証済みであるならば、撮像装置１００から通信装置３００に撮像装置１００の機器アドレス削除許可を通知することが可能となる。
【０３９９】
また、プリントオーダーファイルを設定記録する場合に、撮像装置１００が通信装置３００を既に認証済みであるならば、撮像装置１００から通信装置３００に撮像装置１００の機器アドレス削除許可を通知することが可能となる。
【０４００】
そして、撮像装置１００から通信装置３００に対して、撮像装置１００の機器アドレス削除許可の通知があり、そして、撮像装置１００の機種種別が回収型カメラであったならば、通信装置３００は登録機器情報一覧３５８から撮像装置１００の機器アドレスを削除することが可能となる。
【０４０１】
これにより、回収型カメラである撮像装置１００を販売店９００で新たに購入して撮影を行い、撮影を終えて印刷装置（プリントサービス）８００に撮像装置１００を渡すことを繰り返した場合に、登録機器情報一覧３５８に不要となった撮像装置１００の機器アドレスが登録されて残ったままとなり、この場合、認証の必要なく通信装置３００に接続可能なままであり、不正アクセスの恐れがあるという問題を防止することが可能となる。
【０４０２】
また、登録機器情報一覧３５８から撮像装置１００の機器アドレスを削除する際に、通信装置３００の使用者に確認した後に削除することにより、撮像装置１００の機器アドレス削除をまだ希望しないにも係らず削除してしまうことを防止することが可能となる。
【０４０３】
（第２の実施例）
＜撮像装置１００の動作説明＞
図５及び図６及び図８及び図９及び図１５及び図１６を参照して、本発明における撮像装置１００の実施例の動作を説明する。
【０４０４】
図５及び図６及び図８及び図９は、第１の実施例の説明と同様であるため、説明を省略する。
【０４０５】
図１５は、図５のＳ１０１０における撮影モード処理の詳細なフローチャートを示す。
【０４０６】
システム制御回路５０は、操作部７０が備える各種スイッチの操作により、ユーザによって撮影に関する各種設定の変更が行われたならば（Ｓ１６０１）、変更された内容に応じて、撮影に関する動作設定を変更する（Ｓ１６０２）。
【０４０７】
システム制御回路５０は、シャッタースイッチＳＷ１が押されていないならば（Ｓ１６０３）、撮影モード処理ルーチンＳ１０１０を終了する。
【０４０８】
シャッタースイッチＳＷ１が押されたならば（Ｓ１６０３）、システム制御回路５０は、新たな撮影を行うために記録媒体２００の記録可能残容量が十分かどうかを判断する（Ｓ１６０４）。
【０４０９】
新たな撮影を行うために記録媒体２００の記録可能残容量が十分であると判断したならば（Ｓ１６０４）、Ｓ１６０９に進む。
【０４１０】
新たな撮影を行うためには記録媒体２００の記録可能残容量が不足すると判断したならば（Ｓ１６０４）、Ｓ１６０５に進む。
【０４１１】
システム制御回路５０は、登録機器情報一覧７４での通信装置３００の機器アドレスの登録状況を確認し（Ｓ１６０５）、Ｓ１６０６に進む。
【０４１２】
登録機器情報一覧７４に通信装置３００の機器アドレスが登録されていない、つまり、まだ通信装置３００の機器アドレスが認証済でないならば（Ｓ１６０６）、Ｓ１６０８に進む。
【０４１３】
登録機器情報一覧７４に通信装置３００の機器アドレスが登録されている、つまり、既に通信装置３００の機器アドレスが認証済であるならば（Ｓ１６０６）、システム制御回路５０は、通信手段１１４、アンテナ１１６を介して、通信装置３００に撮像装置１００が記録可能残容量無し状態であることを通知して（Ｓ１６０７）、Ｓ１６０８に進む。
【０４１４】
このように、新たな撮影を行うには記録媒体２００の記録可能残容量が不足する場合に、撮像装置１００が通信装置３００を既に認証済みであるならば、撮像装置１００から通信装置３００に撮像装置１００が記録可能残容量無し状態であることを通知して、ステップＳ１６０８の警告処理を実行することが可能となる。
【０４１５】
システム制御回路５０は、表示部５４及び或いは画像表示部２８を用いて画像や音声により所定の警告表示を行った後に（Ｓ１６０８）、撮影モード処理ルーチンＳ１０１０を終了する。
【０４１６】
システム制御回路５０は、測距処理を行って撮影レンズ１０の焦点を被写体に合わせ、測光処理を行って絞り値及びシャッター時間を決定する（Ｓ１６０９）。測光処理に於いて、必要であればフラッシュの設定も行う。
【０４１７】
この測距・測光処理Ｓ１６０９の詳細は図８を用いて後述する。
【０４１８】
シャッタースイッチＳＷ２が押されずに（Ｓ１６１０）、さらにシャッタースイッチＳＷ１も解除されたならば（Ｓ１６１１）、撮影モード処理ルーチンＳ１０１０を終了する。
【０４１９】
シャッタースイッチＳＷ２が押されたならば（Ｓ１６１０）、システム制御回路５０は、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１６１２）。
【０４２０】
この撮影処理Ｓ１６１２の詳細は図９を用いて後述する。
【０４２１】
撮影処理Ｓ１６１２を終えたならば、システム制御回路５０は、メモリ３０に書き込まれた撮影画像データを読み出して、メモリ制御回路２２そして必要に応じて画像処理回路２０を用いて所定の画素補間処理や色変換処理等の現像処理を行い、現像処理を行った画像データをメモリ３０の所定領域に格納して（Ｓ１６１３）、Ｓ１６１４に進む。
【０４２２】
システム制御回路５０は、メモリ３０の所定領域に格納された画像データを読み出し、圧縮・伸長回路３２を用いて、設定したモードに応じた画像圧縮処理を行う圧縮処理を行った後、圧縮処理を行った画像データをメモリ３０の所定領域に格納して（Ｓ１６１４）、Ｓ１６１５に進む。
【０４２３】
システム制御回路５０は、暗号化の必要に応じて、メモリ３０の所定領域に格納された圧縮処理を行った画像データを読み出し、暗号／復号回路３４を用いて所定の暗号化処理を行い（Ｓ１６１５）、識別情報を付加して（Ｓ１６１６）、処理を行った画像データをメモリ３０の所定領域に格納して、Ｓ１６１７に進む。
【０４２４】
システム制御回路５０は、メモリ３０に書き込まれた圧縮画像データを読み出して、インタフェース９０或いは９４、コネクタ９２或いは９６を介して、メモリカードやコンパクトフラッシュ(登録商標)カード等の記録媒体２００或いは２１０に記録を行う（Ｓ１６１７）。
【０４２５】
シャッタースイッチＳＷ１が放されたならば（Ｓ１６１８）、システム制御回路５０は、一連の撮影動作を終えて、撮影モード処理ルーチンＳ１０１０を終了する。
【０４２６】
シャッタースイッチＳＷ１が押されたままであったならば（Ｓ１６１８）、システム制御回路５０は、操作部７０に含まれる連写／単写スイッチの設定状態を判断する（Ｓ１６１９）。
【０４２７】
連写／単写スイッチの設定状態が単写の設定であったならば（Ｓ１６１９）、Ｓ１６１８に戻る。
【０４２８】
連写／単写スイッチの設定状態が連写の設定であったならば（Ｓ１６１９）、Ｓ１６０４に戻り、一連の撮影動作を繰り返す。
【０４２９】
図１６は、図５のＳ１０１１における再生モード処理の詳細なフローチャートを示す。
【０４３０】
システム制御回路５０は、選択した画像データをメモリ３０の所定領域から或いは記録媒体２００からメモリ３０の所定領域に格納してから読込み（Ｓ１７０１）、圧縮／伸張回路３２によって所定の伸張処理を行った後（Ｓ１７０２）、メモリ制御回路２２、そして必要に応じて画像処理回路２０を用いて所定の画像処理を行い、メモリ制御回路２２、Ｄ／Ａ変換器２６を介して、画像表示部２８により再生表示を行って（Ｓ１７０３）、Ｓ１７０４に進む。
【０４３１】
システム制御回路５０は、操作部７０に含まれるメニューボタン、選択ボタン、セットボタン等によりプリントオーダー処理が設定されていなかったならば（Ｓ１７０４）、Ｓ１７０６に進む。
【０４３２】
操作部７０に含まれるメニューボタン、選択ボタン、セットボタン等によりプリントオーダー処理が設定されたならば（Ｓ１７０４）、設定されたプリントオーダーをシステム制御回路５０の内部メモリ及び或いはメモリ５２に記憶し（Ｓ１７０５）、Ｓ１７０６に進む。
【０４３３】
操作部７０に含まれるスイッチの操作により、次の画像を再生する設定が行われたならば（Ｓ１７０６）、Ｓ１７０１に戻る。
【０４３４】
次の画像を再生する設定が行われなかったならば（Ｓ１７０６）、Ｓ１７０７に進む。
【０４３５】
システム制御回路５０は、モードダイアル７２の設定位置を判断し、再生モードが終了されていたならば（Ｓ１７０７）、Ｓ１７０８に進む。
【０４３６】
再生モードが終了されていなかったならば（Ｓ１７０７）、Ｓ１７０４に戻る。
【０４３７】
ステップＳ１７０５において、何れかの単数或いは複数の撮影画像データに関するプリントオーダーが設定されていなかったならば（Ｓ１７０８）、再生モード処理ルーチンＳ１０１１を終了する。
【０４３８】
ステップＳ１７０５において、何れかの単数或いは複数の撮影画像データに関するプリントオーダーが設定されていたならば（Ｓ１７０８）、Ｓ１７０９に進む。
【０４３９】
システム制御回路５０は、プリントオーダーファイルを記録して（Ｓ１７０９）、Ｓ１７１０に進む。
【０４４０】
システム制御回路５０は、登録機器情報一覧７４での通信装置３００の機器アドレスの登録状況を確認し（Ｓ１７１０）、Ｓ１７１１に進む。
【０４４１】
登録機器情報一覧７４に通信装置３００の機器アドレスが登録されていない、つまり、まだ通信装置３００の機器アドレスが認証済でないならば（Ｓ１７１１）、再生モード処理ルーチンＳ１０１１を終了する。
【０４４２】
登録機器情報一覧７４に通信装置３００の機器アドレスが登録されている、つまり、既に通信装置３００の機器アドレスが認証済であるならば（Ｓ１７１１）、システム制御回路５０は、通信手段１１４、アンテナ１１６を介して、通信装置３００に撮像装置１００がプリントオーダー設定済の状態であることを通知して（Ｓ１７１２）、再生モード処理ルーチンＳ１０１１を終了する。
【０４４３】
このように、プリントオーダーファイルを設定記録する場合に、撮像装置１００が通信装置３００を既に認証済みであるならば、撮像装置１００から通信装置３００に撮像装置１００がプリントオーダー設定済の状態であることを通知することが可能となる。
【０４４４】
＜通信装置３００の動作説明＞
図１１及び図１３及び図１４及び図１７を参照して、本発明における通信装置３００の実施例の動作を説明する。
【０４４５】
図１４は、第１の実施例の説明と同様であるため、説明を省略する。
【０４４６】
図１１及び図１７及び図１３は第２の実施例における通信装置３００の主ルーチンのフローチャートを示す。
【０４４７】
図１１及び図１７及び図１３を用いて、通信装置３００の動作を説明する。
【０４４８】
電池交換等の電源投入により、通信システム制御回路３５０はフラグや制御変数等を初期化する（Ｓ３００１）。
【０４４９】
通信システム制御回路３５０は、操作手段３６２に含まれる電源スイッチの設定状態を判断し、電源スイッチが電源ＯＦＦに設定されていたならば（Ｓ３００２）、Ｓ３００３に進む。
【０４５０】
操作手段３６２に含まれる電源スイッチが電源ＯＮに設定されていたならば（Ｓ３００２）、通信システム制御回路３５０は、電源制御手段３８０により電池等により構成される電源３８６の残容量や動作情況が通信装置３００の動作に問題があるか否かを判断する（Ｓ３００４）。
【０４５１】
電源３８６の残容量が通信装置３００の動作を継続するには問題がある場合は（Ｓ３００４）、通信システム制御回路３５０は、表示手段３６０を用いて画像や音声により所定の警告表示を行った後に（Ｓ３００５）、Ｓ３００３に進む。
【０４５２】
電源３８６の残容量が通信装置３００の動作を継続するのに問題が無い場合は（Ｓ３００４）、Ｓ３００６に進む。
【０４５３】
通信システム制御回路３５０は、各表示手段の表示を終了状態に変更し、フラグや制御変数等を含む必要なパラメータや設定値、設定モードを不揮発性メモリ３５４に記録し、電源制御手段３８０により画像表示手段３２４を含む通信装置３００各部の不要な電源を遮断する等の所定の終了処理を行った後（Ｓ３００３）、Ｓ３００２に戻る。
【０４５４】
通信システム制御回路３５０は、表示手段３６０を用いて画像や音声により電池残容量の状態を含む通信装置３００の各種設定状態の表示を行った後（Ｓ３００６）、他の通信装置或いは通信基地局からの着信呼出しを待つ待ち受け状態で待機する（Ｓ３００７）。
【０４５５】
操作手段３６２に含まれるメニューボタン、選択ボタン、セットボタン等により認証処理実行が選択されたならば（Ｓ３００８）、通信システム制御回路３５０は、探索側認証処理を実行し（Ｓ３００９）、処理を終えたならばＳ３０１０に進む。
【０４５６】
この探索側認証処理Ｓ３０１０の詳細は図１３を用いて後述する。
【０４５７】
なお、メニューで選択する「認証処理実行」の具体的な名称例としては、「Ｂｌｕｅｔｏｏｔｈ設定メニュー」などがある。
【０４５８】
通信システム制御回路３５０は、登録機器情報一覧３５８での撮像装置１００の機器アドレスの登録状況を確認し（Ｓ３０１０）、Ｓ３０１１に進む。
【０４５９】
登録機器情報一覧３５８に撮像装置１００の機器アドレスが登録されていない、つまり、まだ撮像装置１００の機器アドレスが認証済でないならば（Ｓ３０１１）、Ｓ３２２１に進む。
【０４６０】
登録機器情報一覧７４に撮像装置１００の機器アドレスが登録されている、つまり、既に撮像装置１００の機器アドレスが認証済であるならば（Ｓ３０１１）、通信システム制御回路３５０は、撮像装置１００に機器種別を問合せ（Ｓ３０１２）、Ｓ３０１３に進む。
【０４６１】
撮像装置１００の機器種別が回収型カメラで無かったならば（Ｓ３０１３）、Ｓ３２２１に進む。
【０４６２】
撮像装置１００の機器種別が回収型カメラだったならば（Ｓ３０１３）、通信システム制御回路３５０は、撮像装置１００の機器種別フラグを回収型カメラに設定して、通信システム制御回路３５０の内部メモリ及び或いはメモリ３５２に記憶し（Ｓ３０１４）、Ｓ３２２１に進む。
【０４６３】
通信システム制御回路３５０は、撮像装置１００から、通信手段１１４、アンテナ１１６、アンテナ３３２、通信手段３３０を介して、コマンドやデータを受信しなかったならば（Ｓ３２２１）、Ｓ３０４１に進む。
【０４６４】
通信システム制御回路３５０は、撮像装置１００から、通信手段１１４、アンテナ１１６、アンテナ３３２、通信手段３３０を介して、コマンドやデータを受信したならば（Ｓ３２２１）、Ｓ３２２２に進む。
【０４６５】
通信システム制御回路３５０は、登録機器情報一覧３５８での撮像装置１００の機器アドレスの登録状況を確認し（Ｓ３２２２）、Ｓ３２２３に進む。
【０４６６】
登録機器情報一覧３５８に撮像装置１００の機器アドレスが登録されていない、つまり、まだ撮像装置１００の機器アドレスが認証済でないならば（Ｓ３２２３）、Ｓ３０４１に進む。
【０４６７】
登録機器情報一覧３５８に撮像装置１００の機器アドレスが登録されている、つまり、既に撮像装置１００の機器アドレスが認証済であるならば（Ｓ３２２３）、通信システム制御回路３５０は、通信手段１１４、アンテナ１１６、アンテナ３３２、通信手段３３０を介して、撮像装置１００からの通知を受信して、通信システム制御回路３５０の内部メモリ及び或いはメモリ３５２に記憶し（Ｓ３２２４）、Ｓ３２２５に進む。
【０４６８】
撮像装置１００から受信した通知が記録可能残容量無し通知でなかったならば（Ｓ３２２５）、Ｓ３２２６に進む。
【０４６９】
撮像装置１００から受信した通知が記録可能残容量無し通知であったならば（Ｓ３２２５）、Ｓ３２２７に進む。
【０４７０】
撮像装置１００から受信した通知がプリントオーダー設定済み通知でなかったならば（Ｓ３２２６）、Ｓ３０４１に進む。
【０４７１】
撮像装置１００から受信した通知がプリントオーダー設定済み通知であったならば（Ｓ３２２６）、Ｓ３２２７に進む。
【０４７２】
通信システム制御回路３５０は、通信システム制御回路３５０の内部メモリ及び或いはメモリ３５２に記憶する機器種別フラグの設定状態を判断する（Ｓ３２２７）。
【０４７３】
機器種別フラグの設定状態が回収型カメラではなく、その他の機器種別であったならば（Ｓ３２２７）、Ｓ３０４１に進む。
【０４７４】
機器種別フラグの設定状態が回収型カメラであったならば（Ｓ３２２７）、Ｓ３２２８に進む。
【０４７５】
通信システム制御回路３５０は、登録機器情報一覧３５８から撮像装置１００の機器アドレスを削除するか否かを表示手段３６０により通信装置３００の使用者に問合せる（Ｓ３２２８）。
【０４７６】
操作手段３６２により、登録機器情報一覧３５８から撮像装置１００の機器アドレスを削除しない入力があったならば（Ｓ３２２８）、Ｓ３０４１に進む。
【０４７７】
操作手段３６２により、登録機器情報一覧３５８から撮像装置１００の機器アドレスを削除する入力があったならば（Ｓ３２２８）、通信システム制御回路３５０は、登録機器情報一覧３５８から撮像装置１００の機器アドレスを削除して（Ｓ３２２９）、Ｓ３０４１に進む。
【０４７８】
このように、撮像装置１００から通信装置３００に対して、撮像装置１００での記録可能残容量無しの通知があり、或いは、撮像装置１００でのプリントオーダー設定済みの通知があり、そして、撮像装置１００の機種種別が回収型カメラであったならば、登録機器情報一覧３５８から撮像装置１００の機器アドレスを削除することが可能となる。
【０４７９】
これにより、回収型カメラである撮像装置１００を販売店９００で新たに購入して撮影を行い、撮影を終えて印刷装置（プリントサービス）８００に撮像装置１００を渡すことを繰り返した場合に、登録機器情報一覧３５８に不要となった撮像装置１００の機器アドレスが登録されて残ったままとなり、この場合、認証の必要なく通信装置３００に接続可能なままであり、不正アクセスの恐れがあるという問題を防止することが可能となる。
【０４８０】
また、登録機器情報一覧３５８から撮像装置１００の機器アドレスを削除する際に、通信装置３００の使用者に確認した後に削除することにより、撮像装置１００の機器アドレス削除をまだ希望しないにも係らず削除してしまうことを防止することが可能となる。
【０４８１】
通信システム制御回路３５０は、他の通信装置或いは通信基地局から、アンテナ３２８、通信手段３２６を介して着信呼出しがあるかどうかを判断する（Ｓ３０４１）。
【０４８２】
他の通信装置或いは通信基地局から着信呼出しが無いならば（Ｓ３０４１）、Ｓ３０４２に進む。
【０４８３】
他の通信装置或いは通信基地局から着信呼出しがあるならば（Ｓ３０４１）、Ｓ３０４７に進む。
【０４８４】
通信システム制御回路３５０は、操作手段３６２に含まれるオフフック（通話開始）スイッチが設定されないならば（Ｓ３０４２）、Ｓ３００２に戻る。
【０４８５】
操作手段３６２に含まれるオフフック（通話開始）スイッチが設定され（Ｓ３０４２）、操作手段３６２によって発信呼出しの設定が行われたならば（Ｓ３０４３）、通信システム制御回路３５０は、設定された電話番号に応じた発信呼出しを他の通信装置或いは通信基地局に対して行う（Ｓ３０４４）。
【０４８６】
他の通信装置或いは通信基地局との回線が接続されない間（Ｓ３０４５）、操作手段３６２に含まれるオンフック（通話打ち切り）スイッチが設定されるまで（Ｓ３０４６）、通信システム制御回路３５０は、Ｓ３０４４に戻って一連の処理を繰り返す。
【０４８７】
他の通信装置或いは通信基地局との回線が接続されたならば（Ｓ３０４５）、Ｓ３０５３に進む。
【０４８８】
通信システム制御回路３５０は、着信通知手段３６４による呼出し音や振動等を用いた通信装置３００の使用者への着信通知を開始した後（Ｓ３０４７）、Ｓ３０４８に進む。
【０４８９】
操作手段３６２に含まれるオフフック（通話開始）スイッチが設定されないならば（Ｓ３０４８）、通信システム制御回路３５０は、他の通信装置或いは通信基地局からの着信呼出しが終了したかどうかを判断し（Ｓ３０４９）、着信呼出しが終了していたならば、着信通知手段３６４による呼出し音や振動等を用いた通信装置３００の使用者への着信通知を終了し（Ｓ３０５０）、Ｓ３００２に戻る。
【０４９０】
着信呼出しが終了していないならば（Ｓ３０４９）、Ｓ３０４８に戻る。
【０４９１】
操作手段３６２に含まれるオフフック（通話開始）スイッチが設定されたならば（Ｓ３０４８）、通信システム制御回路３５０は、着信通知手段３６４による呼出し音や振動等を用いた通信装置３００の使用者への着信通知を終了して（Ｓ３０５１）、アンテナ３２８、通信手段３２６を介して、通信装置３００に対して着信呼出しを行った他の通信装置或いは通信基地局を介した他の通信装置との回線を接続し（Ｓ３０５２）、他の通信装置或いは通信基地局を介した他の通信装置との通話動作を行う（Ｓ３０５３）。
【０４９２】
通話動作に於いては、他の通信装置或いは通信基地局を介した他の通信装置から、アンテナ３２８、通信手段３２６を介して受信した音声データをメモリ３２０に記憶し、メモリ３２０から読み出した音声データをメモリ制御回路３１４によって所定の復号処理や音声処理を施した後に、Ｄ／Ａ変換器３１６を介してスピーカー３１８で音声信号に変換して伝えることが出来る。
【０４９３】
また、発声した音声をマイク３１０、Ａ／Ｄ変換器３１２を介してメモリ制御回路３１４で所定の音声処理や符号化を施してメモリ３２０に記憶し、メモリ３２０から読み出した音声データを通信手段３２６、アンテナ３２８を介して他の通信装置或いは通信基地局を介した他の通信装置に送信するが出来る。
【０４９４】
他の通信装置或いは通信基地局を介した他の通信装置からの通話が終了した（Ｓ３０５４）、或いは通話が終了していなくても（Ｓ３０５４）、操作手段３６２に含まれるオンフック（通話打ち切り）スイッチが設定されたならば（Ｓ３０５５）、通信システム制御回路３５０は、通話を行っていた他の通信装置或いは通信基地局を介した他の通信装置との回線を切断し（Ｓ３０５６）、Ｓ３００２に戻る。
【０４９５】
以上のように、本発明の第２の実施例によれば、新たな撮影を行うには記録媒体２００の記録可能残容量が不足する場合に、撮像装置１００が通信装置３００を既に認証済みであるならば、撮像装置１００から通信装置３００に撮像装置１００が記録可能残容量無し状態であることを通知することが可能となる。
【０４９６】
また、プリントオーダーファイルを設定記録する場合に、撮像装置１００が通信装置３００を既に認証済みであるならば、撮像装置１００から通信装置３００に撮像装置１００がプリントオーダー設定済の状態であることを通知することが可能となる。
【０４９７】
そして、撮像装置１００から通信装置３００に対して、撮像装置１００での記録可能残容量無しの通知があり、或いは、撮像装置１００でのプリントオーダー設定済みの通知があり、そして、撮像装置１００の機種種別が回収型カメラであったならば、通信装置３００は登録機器情報一覧３５８から撮像装置１００の機器アドレスを削除することが可能となる。
【０４９８】
これにより、回収型カメラである撮像装置１００を販売店９００で新たに購入して撮影を行い、撮影を終えて印刷装置（プリントサービス）８００に撮像装置１００を渡すことを繰り返した場合に、登録機器情報一覧３５８に不要となった撮像装置１００の機器アドレスが登録されて残ったままとなり、この場合、認証の必要なく通信装置３００に接続可能なままであり、不正アクセスの恐れがあるという問題を防止することが可能となる。
【０４９９】
また、登録機器情報一覧３５８から撮像装置１００の機器アドレスを削除する際に、通信装置３００の使用者に確認した後に削除することにより、撮像装置１００の機器アドレス削除をまだ希望しないにも係らず削除してしまうことを防止することが可能となる。
【０５００】
以上、図１乃至図１７を用いて本発明の実施例の説明を行った。
【０５０１】
なお、実施例の説明においては、撮像装置１００の記録可能残容量の過不足に応じて、或いは、撮像装置１００でのプリントオーダーが設定済みかどうかに応じて、通信装置３００の登録機器情報一覧３５８から撮像装置１００の機器アドレスを削除するとして説明したが、撮像装置１００に機器アドレス削除通知を送信するスイッチを設け、そのスイッチが操作された場合に、撮像装置１００から通信装置３００に機器アドレス削除許可通知を送信するようにしても構わない。
【０５０２】
また、撮像装置１００と電源手段８６が一体となった構成であった場合、電池などから構成された電源手段８６の残容量が撮影を行うには不足してきた場合に、撮像装置１００から通信装置３００に機器アドレス削除許可通知を送信するようにしても構わない。
【０５０３】
なお、実施例の説明に於いては、撮像装置１００、画像情報管理装置（画像ゲートウェイ）４００、印刷装置（プリントサービス）８００、情報処理装置（クライアントコンピュータ）５００をそれぞれ１台の構成として説明したが、撮像装置１００が単数或いは複数の構成、画像情報管理装置（画像ゲートウェイ）４００が単数或いは複数の構成、印刷装置（プリントサービス）８００が単数或いは複数の構成、情報処理装置（クライアントコンピュータ）５００が単数或いは複数の何れの組み合わせであっても構わない。
【０５０４】
そして、携帯電話基地局を含むパケット網７００に関しても、単数或いは複数の何れの構成であっても構わない。
【０５０５】
また、画像情報管理装置（画像ゲートウェイ）４００、情報処理装置（クライアントコンピュータ）５００、インターネット６００、パケット網７００を含まず、撮像装置１１０、通信装置３００、工場４５０、販売店９００、印刷装置（プリントサービス）８００のみのシステム構成としても問題無い。
【０５０６】
さらには、単数或いは複数の撮像装置１００と通信装置３００のみの構成としても問題無い。
【０５０７】
なお、記録媒体２００は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードやＣＦ（コンパクトフラッシュ(登録商標)）カード、ＭＭＣ（マルチメディアカード）、ＳＤカード等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０５０８】
また、記録媒体２００がメモリカードとハードディスク等が一体となった複合媒体であっても勿論問題無い。さらに、その複合媒体から一部が着脱可能な構成としても勿論問題無い。
【０５０９】
そして、実施例の説明に於いては、記録媒体２００は撮像装置１００に内蔵しているとして説明したが、撮像装置１００と分離して任意に接続可能になっていても勿論問題無い。
【０５１０】
また、撮像装置１００に記録媒体２００が、単数或いは複数の任意の個数、内蔵或いは接続可能な構成であっても構わない。
【０５１１】
（他の実施形態）
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０５１２】
この場合、記憶媒体から読み出されたプログラムコード自体が前述した実施形態の機能を実現することになり、そのプログラムコードを記憶した記憶媒体は本発明を構成することになる。
【０５１３】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【０５１４】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【０５１５】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【０５１６】
【図１】本発明の一実施例の全体構成ブロック図である。
【図２】本発明の撮像装置と通信装置の構成ブロック図である。
【図３】本発明の撮像装置の構成ブロック図である。
【図４】本発明の通信装置の構成ブロック図である。
【図５】本実施例における撮像装置の主ルーチンのフローチャートである。
【図６】本実施例における撮像装置の被探索側認証処理ルーチンのフローチャートである。
【図７】本実施例における撮像装置の撮影モード処理ルーチンのフローチャートである。
【図８】本実施例における撮像装置の測距・測光処理ルーチンのフローチャートである。
【図９】本実施例における撮像装置の撮影処理ルーチンのフローチャートである。
【図１０】本実施例における撮像装置の再生モード処理ルーチンのフローチャートである。
【図１１】本実施例における通信装置の主ルーチンのフローチャートの一部である。
【図１２】本実施例における通信装置の主ルーチンのフローチャートの一部である。
【図１３】本実施例における通信装置の主ルーチンのフローチャートの一部である。
【図１４】本実施例における通信装置の探索側認証処理ルーチンのフローチャートである。
【図１５】他の実施例における撮像装置の撮影モード処理ルーチンのフローチャートである。
【図１６】他の実施例における撮像装置の再生モード処理ルーチンのフローチャートである。
【図１７】他の実施例における通信装置の主ルーチンのフローチャートの一部である。
【符号の説明】
【０５１７】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
３４  暗号／複合回路
３６  課金管理手段
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
５８  識別情報
６０  電源スイッチ（メインスイッチ）
６２  シャッタースイッチＳＷ１
６４  シャッタースイッチＳＷ２
７０  操作部
７２  モードダイアルスイッチ
７４  登録機器情報一覧
８０  電源制御手段
８２  コネクタ
８４  コネクタ
８６  電源手段
９０  インタフェース
９２  コネクタ
１００  撮像装置
１０２  保護手段
１０４  光学ファインダ
１１４  通信手段
１１６  アンテナ
２００  記録媒体
２０２  記録部
２０４  インタフェース
２０６  コネクタ
３００  通信装置
３１０  マイク
３１２  Ａ／Ｄ変換器
３１４  メモリ制御回路
３１６  Ｄ／Ａ変換器
３１８  スピーカー
３２０  メモリ
３２２  Ｄ／Ａ変換器
３２４  画像表示手段
３２６  通信手段
３２８  アンテナ
３３０  通信手段
３３２  アンテナ
３５０  通信システム制御回路
３５２  メモリ
３５４  不揮発性メモリ
３５６  識別情報（機器アドレス）
３５８  登録機器情報一覧
３６０  表示手段
３６２  操作手段
３６４  着信通知手段
３８０  電源制御手段
３８２  コネクタ
３８４  コネクタ
３８６  電源手段
４００  画像情報管理装置（画像ゲートウェイ）
４５０  工場
５００  情報処理装置（クライアントコンピュータ）
６００  インターネット
６０２  ネットワーク
６０４  ネットワーク
６０６  ネットワーク
６１０  ＷＷＷサーバー
６２０  ＷＷＷサーバー
７００  パケット網
７０２  ネットワーク
８００  印刷装置（プリントサービス）
８５０  写真プリント
９００  販売店
【図１】
2006191442.tif 000003
【図３】
2006191442.tif 000004
【図４】
2006191442.tif 000005
【図５】
2006191442.tif 000006
【図６】
2006191442.tif 000007
【図７】
2006191442.tif 000008
【図８】
2006191442.tif 000009
【図９】
2006191442.tif 000010
【図１０】
2006191442.tif 000011
【図１１】
2006191442.tif 000012
【図１２】
2006191442.tif 000013
【図１３】
2006191442.tif 000014
【図１４】
2006191442.tif 000015
【図１５】
2006191442.tif 000016
【図１６】
2006191442.tif 000017
【図１７】
2006191442.tif 000018
【図２】
2006191442.tif 000019